(57)【要約】      （修正有）【課題】複数の下流アクセス・ポイントから１つまたは複数のモビリティ管理エンティティ（ＭＭＥ）への通信を多重化することを可能にするシステムおよび方法を提供する。【解決手段】複数の下流アクセス・ポイントおよび／または関係するモバイル・デバイスの各々のための単一のトランスポート・レイヤ接続上の複数のアプリケーション・レイヤ接続とともに、ＭＭＥとの単一のトランスポート・レイヤ接続を確立することができるコンセントレータ構成要素を与える。下流アクセス・ポイントおよび／またはモバイル・デバイスは、ＭＭＥとの通信をトラッキングするために識別子を利用することができるコンセントレータ構成要素に識別子を与えることができる。ＭＭＥは、適切な下流アクセス・ポイントおよび／またはモバイル・デバイスを識別することを可能にするために、コンセントレータ構成要素から受信した識別子を後続の通信にさらに含めることができる。【選択図】図１
2014053925.tif 000002
【特許請求の範囲】
【請求項１】
モビリティ管理エンティティ（ＭＭＥ）からダウンリンク・パケットを受信することと、
前記ダウンリンク・パケット内に含まれる局所的に一意の識別子に少なくとも部分的に基づいて、前記ダウンリンク・パケットに関係するアクセス・ポイントを判断することと、
前記ダウンリンク・パケットを前記アクセス・ポイントに送信することと、
を備える方法。
【請求項２】
前記局所的に一意の識別子が、接続確立中に前記アクセス・ポイントから受信した識別子に関係する請求項１に記載の方法。
【請求項３】
前記局所的に一意の識別子に少なくとも部分的に基づいて前記ダウンリンク・パケットに関係するモバイル・デバイスを判断することと、
前記局所的に一意の識別子を前記モバイル・デバイスの識別子と置き換えることと、
をさらに備える請求項１に記載の方法。
【請求項４】
前記局所的に一意の識別子を前記モバイル・デバイスの前記識別子および前記アクセス・ポイントの識別子とともにルーティング・テーブルに記憶することをさらに備える請求項３に記載の方法。
【請求項５】
前記アクセス・ポイントからアップリンク・パケットを受信することと、
ＭＭＥ識別子に少なくとも部分的に基づいて前記アップリンク・パケットと前記ＭＭＥとの間の関連付けを判断することと、
前記アップリンク・パケットを前記ＭＭＥに送信することと、
をさらに備える請求項１に記載の方法。
【請求項６】
前記アップリンク・パケットが前記アクセス・ポイントから受信されたアドレスに少なくとも部分的に基づいて、前記アップリンク・パケットが前記ＭＭＥに関連付けられる請求項５に記載の方法。
【請求項７】
ＭＭＥ識別子に対するアクセス・ポイント識別子のルーティング・テーブルを維持することをさらに備え、前記アップリンク・パケットと前記ＭＭＥとの間の前記関連付けが、前記アクセス・ポイントに関係するルーティング・テーブルエントリに少なくとも部分的に基づいて判断される請求項５に記載の方法。
【請求項８】
前記アクセス・ポイント識別子が小規模アクセス・ポイントに関係する請求項７に記載の方法。
【請求項９】
前記アクセス・ポイントから受信した、前記ＭＭＥとの関連付けの要求に少なくとも部分的に基づいて前記ルーティング・テーブルにエントリを追加することをさらに備える請求項７に記載の方法。
【請求項１０】
前記アップリンク・パケットからモバイル・デバイス識別子とアクセス・ポイント識別子とを抽出することと、
前記モバイル・デバイス識別子と前記アクセス・ポイント識別子とに関係する前記局所的に一意の識別子を判断することと、
前記アップリンク・パケット中の前記モバイル・デバイス識別子を前記局所的に一意の識別子と置き換えることと、
をさらに備える請求項５に記載の方法。
【請求項１１】
前記モバイル・デバイス識別子および前記アクセス・ポイント識別子がアプリケーション・レベル識別子である請求項１０に記載の方法。
【請求項１２】
前記モバイル・デバイス識別子と前記アクセス・ポイント識別子とに関する前記局所的に一意の識別子を判断することが、局所的に一意の識別子を受信したモバイル・デバイス識別子とサービング・アクセス・ポイント識別子とにマッピングするルーティング・テーブル中で前記局所的に一意の識別子をロケートすることを含む、請求項１０に記載の方法。
【請求項１３】
前記ＭＭＥとのトランスポート・レイヤ接続を確立することをさらに備える請求項１に記載の方法。
【請求項１４】
前記アクセス・ポイントまたは前記ＭＭＥに関連付けられる追加のアクセス・ポイントのために前記トランスポート・レイヤ接続上で前記ＭＭＥとのアプリケーション・レイヤ接続を確立することをさらに備える請求項１３に記載の方法。
【請求項１５】
ソース・アクセス・ポイントからターゲット・アクセス・ポイントに関係するハンドオーバ要求メッセージを受信することと、
前記ソース・アクセス・ポイントおよび前記ターゲット・アクセス・ポイントが、前記ハンドオーバ要求メッセージ中の１つまたは複数の識別子に少なくとも部分的に基づいて前記ＭＭＥに関連付けられることを判断することと、
前記ハンドオーバ要求メッセージを前記ターゲット・アクセス・ポイントに送信することと、
をさらに備える請求項１に記載の方法。
【請求項１６】
モビリティ管理エンティティ（ＭＭＥ）からダウンリンク・パケットを取得することと、
前記ダウンリンク・パケット内に含まれる局所的に一意の識別子に少なくとも部分的に基づいて、前記ダウンリンク・パケットに関係する少なくとも１つのアクセス・ポイントを識別することと、
前記ダウンリンク・パケットを前記少なくとも１つのアクセス・ポイントに送信することと、
を行うように構成された少なくとも１つのプロセッサと、
前記少なくとも１つのプロセッサに結合されたメモリと
を備えるワイヤレス通信装置。
【請求項１７】
前記少なくとも１つのプロセッサが、接続確立中に前記少なくとも１つのアクセス・ポイントからアクセス・ポイント識別子を受信するようにさらに構成され、前記局所的に一意の識別子が前記アクセス・ポイント識別子に関係する請求項１６に記載のワイヤレス通信装置。
【請求項１８】
前記少なくとも１つのプロセッサが、前記局所的に一意の識別子に少なくとも部分的に基づいて前記ダウンリンク・パケットに関係するモバイル・デバイスを識別し、前記局所的に一意の識別子を前記モバイル・デバイスの識別子と置き換えるようにさらに構成された、請求項１６に記載のワイヤレス通信装置。
【請求項１９】
前記少なくとも１つのプロセッサが、
前記少なくとも１つのアクセス・ポイントからアップリンク・パケットを取得することと、
ＭＭＥ識別子に少なくとも部分的に基づいて前記アップリンク・パケットと前記ＭＭＥとの間の関連付けを識別することと、
前記アップリンク・パケットを前記ＭＭＥに送信することと、
を行うようにさらに構成された、請求項１６に記載のワイヤレス通信装置。
【請求項２０】
前記少なくとも１つのプロセッサが、ＭＭＥ識別子に対するアクセス・ポイント識別子のルーティング・テーブルを維持するようにさらに構成され、前記アップリンク・パケットと前記ＭＭＥとの間の前記関連付けが、前記少なくとも１つのアクセス・ポイントに関係するルーティング・テーブルエントリに少なくとも部分的に基づいて識別される請求項１９に記載のワイヤレス通信装置。
【請求項２１】
前記少なくとも１つのプロセッサが、前記少なくとも１つのアクセス・ポイントから受信した、前記ＭＭＥとの関連付けの要求に少なくとも部分的に基づいて前記ルーティング・テーブルにエントリを挿入するようにさらに構成された、請求項２０に記載のワイヤレス通信装置。
【請求項２２】
前記少なくとも１つのプロセッサが、
前記アップリンク・パケットからモバイル・デバイス識別子とアクセス・ポイント識別子とを識別することと、
前記モバイル・デバイス識別子と前記アクセス・ポイント識別子とに関係する前記局所的に一意の識別子を生成することと、
前記アップリンク・パケット中の前記モバイル・デバイス識別子を前記局所的に一意の識別子と置き換えることと、
を行うようにさらに構成された、請求項１９に記載のワイヤレス通信装置。
【請求項２３】
モビリティ管理エンティティ（ＭＭＥ）からダウンリンク・パケットを受信するための手段と、
前記ダウンリンク・パケット内に含まれる局所的に一意の識別子に少なくとも部分的に基づいて、前記ダウンリンク・パケットに関係するアクセス・ポイントを判断するための手段と、
前記ダウンリンク・パケットを前記アクセス・ポイントに送信するための手段と、
を備える装置。
【請求項２４】
前記局所的に一意の識別子が、接続確立中に前記アクセス・ポイントから受信した識別子に関係する請求項２３に記載の装置。
【請求項２５】
前記局所的に一意の識別子に少なくとも部分的に基づいて前記ダウンリンク・パケットに関係するモバイル・デバイスを判断するための手段をさらに備え、前記ダウンリンク・パケットを送信するための前記手段が、前記局所的に一意の識別子を前記モバイル・デバイスの識別子と置き換える請求項２３に記載の装置。
【請求項２６】
前記ダウンリンク・パケットに関係する前記モバイル・デバイスを判断するための前記手段が、前記局所的に一意の識別子を前記モバイル・デバイスの前記識別子および前記アクセス・ポイントの識別子とともにルーティング・テーブルに記憶する請求項２５に記載の装置。
【請求項２７】
前記ダウンリンク・パケットを送信するための前記手段が、前記アクセス・ポイントからアップリンク・パケットをさらに受信し、前記ダウンリンク・パケットを受信するための前記手段が、前記アップリンク・パケットを前記ＭＭＥにさらに送信し、前記ダウンリンク・パケットに関係する前記アクセス・ポイントを判断するための前記手段が、ＭＭＥ識別子に少なくとも部分的に基づいて前記アップリンク・パケットと前記ＭＭＥとの間の関連付けをさらに判断する請求項２３に記載の装置。
【請求項２８】
前記アップリンク・パケットが受信されたアドレスに少なくとも部分的に基づいて、前記アップリンク・パケットが前記ＭＭＥに関連付けられる請求項２７に記載の装置。
【請求項２９】
前記ダウンリンク・パケットに関係する前記アクセス・ポイントを判断するための前記手段が、ＭＭＥ識別子に対するアクセス・ポイント識別子のルーティング・テーブルをさらに維持し、前記アップリンク・パケットと前記ＭＭＥとの間の前記関連付けが、前記アクセス・ポイントに関係するルーティング・テーブルエントリに少なくとも部分的に基づいて判断される請求項２７に記載の装置。
【請求項３０】
前記ダウンリンク・パケットに関係する前記アクセス・ポイントを判断するための前記手段が、前記アクセス・ポイントから受信した、前記ＭＭＥとの関連付けの要求に少なくとも部分的に基づいて前記ルーティング・テーブルにエントリを追加する請求項２９に記載の装置。
【請求項３１】
前記アップリンク・パケットからモバイル・デバイス識別子とアクセス・ポイント識別子とを抽出し、前記モバイル・デバイス識別子と前記アクセス・ポイント識別子とに関係する前記局所的に一意の識別子を判断するための手段とをさらに備え、前記アップリンク・パケットを前記ＭＭＥに送信するための前記手段が、前記アップリンク・パケット中の前記モバイル・デバイス識別子を前記局所的に一意の識別子と置き換える請求項２７に記載の装置。
【請求項３２】
少なくとも１つのコンピュータにモビリティ管理エンティティ（ＭＭＥ）からダウンリンク・パケットを受信させるためのコードと、
前記少なくとも１つのコンピュータに、前記ダウンリンク・パケット内に含まれる局所的に一意の識別子に少なくとも部分的に基づいて、前記ダウンリンク・パケットに関係するアクセス・ポイントを判断させるためのコードと、
前記少なくとも１つのコンピュータに前記ダウンリンク・パケットを前記アクセス・ポイントに送信させるためのコードと、
を備えるコンピュータ可読媒体を備えるコンピュータ・プログラム製品。
【請求項３３】
前記コンピュータ可読媒体が、前記少なくとも１つのコンピュータに、接続確立中に前記アクセス・ポイントからアクセス・ポイント識別子を受信させるためのコードをさらに備え、前記局所的に一意の識別子が前記アクセス・ポイントに関係する請求項３２に記載のコンピュータ・プログラム製品。
【請求項３４】
前記コンピュータ可読媒体が、前記少なくとも１つのコンピュータに、前記局所的に一意の識別子に少なくとも部分的に基づいて前記ダウンリンク・パケットに関係するモバイル・デバイスを判断させ、前記局所的に一意の識別子を前記モバイル・デバイスの識別子と置き換えさせるためのコードをさらに備える請求項３２に記載のコンピュータ・プログラム製品。
【請求項３５】
前記コンピュータ可読媒体が、
前記少なくとも１つのコンピュータに前記アクセス・ポイントからアップリンク・パケットを受信させるためのコードと、
前記少なくとも１つのコンピュータに、ＭＭＥ識別子に少なくとも部分的に基づいて前記アップリンク・パケットと前記ＭＭＥとの間の関連付けを判断させるためのコードと、
前記少なくとも１つのコンピュータに前記アップリンク・パケットを前記ＭＭＥに送信させるためのコードと、
をさらに備える請求項３２に記載のコンピュータ・プログラム製品。
【請求項３６】
前記コンピュータ可読媒体が、前記少なくとも１つのコンピュータに、ＭＭＥ識別子に対するアクセス・ポイント識別子のルーティング・テーブルを維持させるためのコードをさらに備え、前記アップリンク・パケットと前記ＭＭＥとの間の前記関連付けが、前記アクセス・ポイントに関係するルーティング・テーブルエントリに少なくとも部分的に基づいて判断される請求項３５に記載のコンピュータ・プログラム製品。
【請求項３７】
前記コンピュータ可読媒体が、前記少なくとも１つのコンピュータに、前記アクセス・ポイントから受信した、前記ＭＭＥとの関連付けの要求に少なくとも部分的に基づいて前記ルーティング・テーブルにエントリを挿入させるためのコードをさらに備える請求項３６に記載のコンピュータ・プログラム製品。
【請求項３８】
前記コンピュータ可読媒体が、
前記少なくとも１つのコンピュータに、前記アップリンク・パケットからモバイル・デバイス識別子とアクセス・ポイント識別子とを判断させるためのコードと、
前記少なくとも１つのコンピュータに、前記モバイル・デバイス識別子と前記アクセス・ポイント識別子とに関係する前記局所的に一意の識別子を選択させるためのコードと、
前記少なくとも１つのコンピュータに、前記アップリンク・パケット中の前記モバイル・デバイス識別子を前記局所的に一意の識別子と置き換えさせるためのコードと、
をさらに備える請求項３５に記載のコンピュータ・プログラム製品。
【請求項３９】
モビリティ管理エンティティ（ＭＭＥ）からダウンリンク・パケットを受信する上流接続構成要素と、
前記ダウンリンク・パケット内に含まれる局所的に一意の識別子に少なくとも部分的に基づいて、前記ダウンリンク・パケットに関係するアクセス・ポイントを判断するアクセス・ポイント・ルーティング構成要素と、
前記ダウンリンク・パケットを前記アクセス・ポイントに送信する下流接続構成要素と、
を備える装置。
【請求項４０】
前記局所的に一意の識別子が、接続確立中に前記アクセス・ポイントから受信した識別子に関係する請求項３９に記載の装置。
【請求項４１】
前記局所的に一意の識別子に少なくとも部分的に基づいて前記ダウンリンク・パケットに関係するモバイル・デバイスを判断するモバイル・デバイス・ルーティング構成要素をさらに備え、前記下流接続構成要素が、前記局所的に一意の識別子を前記モバイル・デバイスの識別子と置き換える請求項３９に記載の装置。
【請求項４２】
前記モバイル・デバイス・ルーティング構成要素が、前記局所的に一意の識別子を前記モバイル・デバイスの前記識別子および前記アクセス・ポイントの識別子とともにルーティング・テーブルに記憶する請求項４１に記載の装置。
【請求項４３】
前記下流接続構成要素が前記アクセス・ポイントからアップリンク・パケットを受信し、前記上流接続構成要素が前記アップリンク・パケットを前記ＭＭＥに送信し、前記アクセス・ポイント・ルーティング構成要素が、ＭＭＥ識別子に少なくとも部分的に基づいて前記アップリンク・パケットと前記ＭＭＥとの間の関連付けをさらに判断する請求項３９に記載の装置。
【請求項４４】
前記アップリンク・パケットが受信されたアドレスに少なくとも部分的に基づいて、前記アップリンク・パケットが前記ＭＭＥに関連付けられる請求項４３に記載の装置。
【請求項４５】
前記アクセス・ポイント・ルーティング構成要素が、ＭＭＥ識別子に対するアクセス・ポイント識別子のルーティング・テーブルをさらに維持し、前記アップリンク・パケットと前記ＭＭＥとの間の前記関連付けが、前記アクセス・ポイントに関係するルーティング・テーブルエントリに少なくとも部分的に基づいて判断される請求項４３に記載の装置。
【請求項４６】
前記アクセス・ポイント・ルーティング構成要素が、前記アクセス・ポイントから受信した、前記ＭＭＥとの関連付けの要求に少なくとも部分的に基づいて前記ルーティング・テーブルにエントリを追加する請求項４５に記載の装置。
【請求項４７】
アクセス・ポイントに関係するアップリンク・メッセージ中の一意の識別子を受信することと、
前記アップリンク・メッセージに関係する前記アクセス・ポイントを判断することを可能にするために、前記一意の識別子をアプリケーション・レイヤ・ダウンリンク・メッセージ中に挿入することと、
前記アプリケーション・レイヤ・ダウンリンク・メッセージをネットワーク構成要素に送信することと、
を備える方法。
【請求項４８】
前記一意の識別子がワイヤレス通信ネットワークに対してグローバルに一意である請求項４７に記載の方法。
【請求項４９】
前記ネットワーク構成要素に送信される前記アクセス・ポイントに関係する実質的にすべての後続のアプリケーション・レイヤ・ダウンリンク・メッセージ中に前記一意の識別子を含めることをさらに備える請求項４８に記載の方法。
【請求項５０】
前記ネットワーク構成要素に関連付けられる単一のトランスポート・レイヤ上で前記アプリケーション・レイヤ・ダウンリンク・メッセージを異種アクセス・ポイントに関係する異種アプリケーション・レイヤ・ダウンリンク・メッセージで多重化することをさらに備える請求項４７に記載の方法。
【請求項５１】
前記ネットワーク構成要素から前記アクセス・ポイントとターゲット・アクセス・ポイントとに関係するハンドオーバ要求メッセージを受信することをさらに備える請求項４７に記載の方法。
【請求項５２】
前記ターゲット・アクセス・ポイントに関係する一意の識別子を前記ハンドオーバ要求メッセージ中に挿入することと、
前記ハンドオーバ要求メッセージを前記ネットワーク構成要素あるいは１つまたは複数の異種ネットワーク構成要素にフォワーディングすることと、
をさらに備える請求項５１に記載の方法。
【請求項５３】
アクセス・ポイントに関係するアップリンク・メッセージ中の一意の識別子を検索することと、
前記アップリンク・メッセージに関係する前記アクセス・ポイントを判断することを可能にするために、前記一意の識別子をアプリケーション・レイヤ・ダウンリンク・メッセージ中に挿入することと、
前記アプリケーション・レイヤ・ダウンリンク・メッセージをネットワーク構成要素に送信することと
を行うように構成された少なくとも１つのプロセッサと、
前記少なくとも１つのプロセッサに結合されたメモリと、
を備えるワイヤレス通信装置。
【請求項５４】
前記少なくとも１つのプロセッサが、前記ネットワーク構成要素に送信される前記アクセス・ポイントに関係する実質的にすべての後続のアプリケーション・レイヤ・ダウンリンク・メッセージ中に前記一意の識別子を含めるようにさらに構成された、請求項５３に記載のワイヤレス通信装置。
【請求項５５】
前記少なくとも１つのプロセッサが、前記ネットワーク構成要素に関連付けられる単一のトランスポート・レイヤ上で前記アプリケーション・レイヤ・ダウンリンク・メッセージを異種アクセス・ポイントに関係する異種アプリケーション・レイヤ・ダウンリンク・メッセージで多重化するようにさらに構成された、請求項５３に記載のワイヤレス通信装置。
【請求項５６】
アクセス・ポイントに関係するアップリンク・メッセージ中の一意の識別子を受信するための手段と、
前記アップリンク・メッセージに関係する前記アクセス・ポイントを判断することを可能にするために、前記一意の識別子をアプリケーション・レイヤ・ダウンリンク・メッセージ中に挿入し、前記アプリケーション・レイヤ・ダウンリンク・メッセージをネットワーク構成要素に送信するための手段と、
を備える装置。
【請求項５７】
前記一意の識別子がワイヤレス通信ネットワークに対してグローバルに一意である請求項５６に記載の装置。
【請求項５８】
前記一意の識別子を挿入するための前記手段が、前記ネットワーク構成要素に送信される前記アクセス・ポイントに関係する実質的にすべての後続のアプリケーション・レイヤ・ダウンリンク・メッセージ中に前記一意の識別子を含める請求項５６に記載の装置。
【請求項５９】
少なくとも１つのコンピュータに、アクセス・ポイントに関係するアップリンク・メッセージ中の一意の識別子を受信させるためのコードと、
前記アップリンク・メッセージに関係する前記アクセス・ポイントを判断することを可能にするために、前記少なくとも１つのコンピュータに、前記一意の識別子をアプリケーション・レイヤ・ダウンリンク・メッセージ中に挿入させるためのコードと、
前記少なくとも１つのコンピュータに、前記アプリケーション・レイヤ・ダウンリンク・メッセージをネットワーク構成要素に送信させるためのコードと、
を備えるコンピュータ可読媒体を備えるコンピュータ・プログラム製品。
【請求項６０】
前記コンピュータ可読媒体が、前記少なくとも１つのコンピュータに、前記ネットワーク構成要素に送信される前記アクセス・ポイントに関係する実質的にすべての後続のアプリケーション・レイヤ・ダウンリンク・メッセージ中に前記一意の識別子を含めさせるためのコードをさらに備える請求項５９に記載のコンピュータ・プログラム製品。
【請求項６１】
アクセス・ポイントに関係するアップリンク・メッセージ中の一意の識別子を受信するアクセス・ポイント識別子構成要素と、
前記アップリンク・メッセージに関係する前記アクセス・ポイントを判断することを可能にするために、前記一意の識別子をアプリケーション・レイヤ・ダウンリンク・メッセージ中に挿入し、前記アプリケーション・レイヤ・ダウンリンク・メッセージをネットワーク構成要素に送信するダウンリンク送信構成要素と、
を備える装置。
【請求項６２】
前記一意の識別子がワイヤレス通信ネットワークに対してグローバルに一意である請求項６１に記載の装置。
【請求項６３】
前記ダウンリンク送信構成要素が、前記ネットワーク構成要素に送信される前記アクセス・ポイントに関係する実質的にすべての後続のアプリケーション・レイヤ・ダウンリンク・メッセージ中に前記一意の識別子を含める請求項６１に記載の装置。
【発明の詳細な説明】
【技術分野】
【０００１】
以下の説明は、一般にワイヤレス通信に関し、より詳細には、上流ネットワーク構成要素との制御プレーン通信と、アクセス・ポイント間の制御プレーン通信とに関する。
【０００２】
米国特許法第１１９条に基づく優先権の主張
本特許出願は、本出願の譲受人に譲渡され、参照により本明細書に明確に組み込まれる、２００８年６月２３日に出願された「SYSTEMS AND METHODS TO REDUCE ASSOCIATIONS AND/OR PORTS REQUIRED AT A MOBILITY MANAGEMENT ENTITY (MME) TO SUPPORT A NUMBER OF eNBs/HeNBs IN WIRELESS NETWORKS」と題する仮出願第６１／０７４，９７８号と、本出願の譲受人に譲渡され、参照により本明細書に明確に組み込まれる、２００８年７月９日に出願された「SYSTEMS AND METHODS TO REDUCE ASSOCIATIONS/PORTS AND MULTIPLEX CONNECTIONS BETWEEN eNBs/HeNBs/RELAYS IN WIRELESS SYSTEMS」と題する仮出願第６１／０７９，３９３号と、本出願の譲受人に譲渡され、参照により本明細書に明確に組み込まれる、２００８年８月７日に出願された「CONCENTRATOR/DISTRIBUTOR FOR A CONTROL PLANE TO HOME BASE STATIONS」と題する仮出願第６１／０８７，１４５号との優先権を主張する。
【背景技術】
【０００３】
ワイヤレス通信システムは、たとえばボイス、データなど、様々なタイプの通信コンテンツを提供するために広く展開されている。典型的なワイヤレス通信システムは、使用可能なシステム・リソース（たとえば、帯域幅、送信電力、．．．）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、これらのシステムは、第３世代パートナーシップ・プロジェクト（third generation partnership project：３ＧＰＰ）、３ＧＰＰロングターム・エボリューション（long term evolution：ＬＴＥ）、ウルトラ・モバイル・ブロードバンド（ultra mobile broadband：ＵＭＢ）などの仕様、および／またはエボリューション・データ・オプティマイズ（evolution data optimized：ＥＶ−ＤＯ）、その１つまたは複数のリビジョンなどのマルチキャリアワイヤレス仕様に準拠することができる。
【０００４】
一般に、ワイヤレス多元接続通信システムは、複数のモバイル・デバイスのための通信を同時にサポートすることができる。各モバイル・デバイスは、順方向リンクおよび逆方向リンク上の伝送を介して１つまたは複数のアクセス・ポイント（たとえば、基地局）と通信することができる。順方向リンク（またはダウンリンク）はアクセス・ポイントからモバイル・デバイスへの通信リンクを指し、逆方向リンク（またはアップリンク）はモバイル・デバイスからアクセス・ポイントへの通信リンクを指す。さらに、モバイル・デバイスとアクセス・ポイントの間の通信は、単入力単出力（ＳＩＳＯ）システム、多入力単出力（ＭＩＳＯ）システム、多入力多出力（ＭＩＭＯ）システムなどを介して確立できる。さらに、ピア・ツー・ピアワイヤレス・ネットワーク構成では、モバイル・デバイスは他のモバイル・デバイスと通信することができる。
【０００５】
アクセス・ポイントは、モバイル・デバイスにワイヤレス・ネットワーク・アクセスを与えることを可能にするために、追加の上流ワイヤレス・ネットワーク構成要素と通信することができる。いくつかの構成では、アクセス・ポイントは、ワイヤレス・ネットワークにおいてセッションおよびモビリティ管理を行うためにモビリティ管理エンティティ（ＭＭＥ）との接続を確立することができる。ＭＭＥはさらに、モバイル・デバイスがネットワーク上で通信することを認証／許可するため、および／またはモバイル・デバイスがネットワーク上でデータを送信／受信することを可能にするために、追加の上流ネットワーク構成要素と通信することができる。
【０００６】
フェムトセル・アクセス・ポイント、ピコセル・アクセス・ポイント、中継ノードなどの小規模アクセス・ポイントが従来のワイヤレス・ネットワークに導入され、新しいアクセス・ポイントの異種無規制展開が可能になっている。これらの小規模アクセス・ポイントは、同様に、ワイヤレス・ネットワークにおいてセッションおよびモビリティ管理を行うためにＭＭＥとの接続を確立する。しかしながら、ＭＭＥは、トランスポート・レイヤとアプリケーション・レイヤの両方において、サポート可能な接続の数が制限されることがある。同様に、いくつかのアクセス・ポイントは、他の小規模アクセス・ポイントをサポートし、それらにＭＭＥアクセスを与えることができ、同様に、特に、たとえば、サポートするアクセス・ポイントがピコセルまたはフェムトセル・アクセス・ポイントである場合、同時にサポート可能な接続の数に対する制限を有することがある。
【発明の概要】
【０００７】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
１つまたは複数の態様およびその対応する開示に従って、コンセントレータ構成要素を使用してモビリティ管理エンティティ（ＭＭＥ）または他のアクセス・ポイントへのアクセス・ポイント接続を多重化することを可能にすることに関して、様々な態様について説明する。コンセントレータ構成要素は、下流アクセス・ポイントと、１つまたは複数のＭＭＥまたは上流アクセス・ポイントとに接続することができる。この点について、コンセントレータ構成要素は、単一のＭＭＥまたは上流アクセス・ポイント接続を介して多くの下流アクセス・ポイント接続をサポートすることができる。一例では、コンセントレータ構成要素は、下流アクセス・ポイントをＭＭＥまたは上流アクセス・ポイント（あるいは複数のＭＭＥまたは上流アクセス・ポイント）に関連付け、下流アクセス・ポイントから受信したデータを（１つまたは複数の）ＭＭＥまたは上流アクセス・ポイントにフォワーディングすることができる。
【０００９】
別の例では、モバイル・デバイス固有の通信の場合、コンセントレータ構成要素は、たとえば、それ自体の内で局所的に一意である（たとえば、それ自体の識別子と、関連付けられた下流アクセス・ポイントの識別子とに基づく）モバイル・デバイスの識別子を作成することができる。コンセントレータ構成要素は、関係するパケットをＭＭＥまたは上流アクセス・ポイントにフォワーディングする前に、そのパケット中のモバイル・デバイス識別子を新しい識別子と置き換えることができる。したがって、コンセントレータ構成要素がＭＭＥまたは上流アクセス・ポイントから応答を受信したとき、コンセントレータ構成要素は、識別子から適切な下流アクセス・ポイントを判断し、応答中の識別子を、最初に受信したモバイル・デバイス識別子と置き換え、適切なモバイル・デバイスに伝搬するために応答を下流アクセス・ポイントにフォワーディングすることができる。さらに別の例では、コンセントレータ構成要素は、下流アクセス・ポイントを、互いに近接したアクセス・ポイントのグルーピングとすることができるトラッキング・エリアに関連付けることができる。この点について、コンセントレータ構成要素は、ＭＭＥにおける複雑なルーティングの維持を軽減するために、ＭＭＥから受信した通信をトラッキング・エリアにブロードキャストすることができる。
【００１０】
関係する態様によれば、ＭＭＥからダウンリンク・パケットを受信することと、ダウンリンク・パケット内に含まれる局所的に一意の識別子に少なくとも部分的に基づいて、ダウンリンク・パケットに関係するアクセス・ポイントを判断することとを含む方法を提供する。本方法はまた、ダウンリンク・パケットをアクセス・ポイントに送信することを含む。
【００１１】
別の態様はワイヤレス通信装置に関する。ワイヤレス通信装置は、ＭＭＥからダウンリンク・パケットを取得し、ダウンリンク・パケット内に含まれる局所的に一意の識別子に少なくとも部分的に基づいて、ダウンリンク・パケットに関係する少なくとも１つのアクセス・ポイントを識別するように構成された少なくとも１つのプロセッサを含むことができる。少なくとも１つのプロセッサは、ダウンリンク・パケットを少なくとも１つのアクセス・ポイントに送信するようにさらに構成される。ワイヤレス通信装置はまた、少なくとも１つのプロセッサに結合されたメモリを備える。
【００１２】
さらに別の態様は、ＭＭＥからダウンリンク・パケットを受信するための手段と、ダウンリンク・パケット内に含まれる局所的に一意の識別子に少なくとも部分的に基づいて、ダウンリンク・パケットに関係するアクセス・ポイントを判断するための手段とを含む装置に関する。本装置は、ダウンリンク・パケットをアクセス・ポイントに送信するための手段をさらに含む。
【００１３】
さらに別の態様は、少なくとも１つのコンピュータにＭＭＥからダウンリンク・パケットを受信させるためのコードを含むコンピュータ可読媒体を有することができるコンピュータ・プログラム製品に関する。コンピュータ可読媒体はまた、少なくとも１つのコンピュータに、ダウンリンク・パケット内に含まれる局所的に一意の識別子に少なくとも部分的に基づいて、ダウンリンク・パケットに関係するアクセス・ポイントを判断させるためのコードを備えることができる。その上、コンピュータ可読媒体は、少なくとも１つのコンピュータにダウンリンク・パケットをアクセス・ポイントに送信させるためのコードを備えることができる。
【００１４】
その上、追加の態様は装置に関する。本装置は、ＭＭＥからダウンリンク・パケットを受信する上流接続構成要素を含むことができる。本装置は、ダウンリンク・パケット内に含まれる局所的に一意の識別子に少なくとも部分的に基づいて、ダウンリンク・パケットに関係するアクセス・ポイントを判断するアクセス・ポイント・ルーティング構成要素と、ダウンリンク・パケットをアクセス・ポイントに送信する下流接続構成要素とをさらに含む。
【００１５】
他の態様によれば、アクセス・ポイントに関係するアップリンク・メッセージ中の一意の識別子を受信することを含む方法を提供する。本方法は、アップリンク・メッセージに関係するアクセス・ポイントを判断することを可能にするために、一意の識別子をアプリケーション・レイヤ・ダウンリンク・メッセージ中に挿入することと、アプリケーション・レイヤ・ダウンリンク・メッセージをネットワーク構成要素に送信することとをさらに含む。
【００１６】
別の態様はワイヤレス通信装置に関する。ワイヤレス通信装置は、アクセス・ポイントに関係するアップリンク・メッセージ中の一意の識別子を検索し、アップリンク・メッセージに関係するアクセス・ポイントを判断することを可能にするために、一意の識別子をアプリケーション・レイヤ・ダウンリンク・メッセージ中に挿入するように構成された少なくとも１つのプロセッサを含むことができる。少なくとも１つのプロセッサは、アプリケーション・レイヤ・ダウンリンク・メッセージをネットワーク構成要素に送信するようにさらに構成される。ワイヤレス通信装置はまた、少なくとも１つのプロセッサに結合されたメモリを備える。
【００１７】
さらに別の態様は、アクセス・ポイントに関係するアップリンク・メッセージ中の一意の識別子を受信するための手段と、アップリンク・メッセージに関係するアクセス・ポイントを判断し、アプリケーション・レイヤ・ダウンリンク・メッセージをネットワーク構成要素に送信することを可能にするために、一意の識別子をアプリケーション・レイヤ・ダウンリンク・メッセージ中に挿入するための手段とを含む装置に関する。
【００１８】
さらに別の態様は、少なくとも１つのコンピュータに、アクセス・ポイントに関係するアップリンク・メッセージ中の一意の識別子を受信させるためのコードを含むコンピュータ可読媒体を有することができるコンピュータ・プログラム製品に関する。コンピュータ可読媒体はまた、アップリンク・メッセージに関係するアクセス・ポイントを判断することを可能にするために、少なくとも１つのコンピュータに、一意の識別子をアプリケーション・レイヤ・ダウンリンク・メッセージ中に挿入させるためのコードを備えることができる。その上、コンピュータ可読媒体は、少なくとも１つのコンピュータに、アプリケーション・レイヤ・ダウンリンク・メッセージをネットワーク構成要素に送信させるためのコードを備えることができる。
【００１９】
その上、追加の態様は装置に関する。本装置は、アクセス・ポイントに関係するアップリンク・メッセージ中の一意の識別子を受信するアクセス・ポイント識別子構成要素を含むことができる。本装置は、アップリンク・メッセージに関係するアクセス・ポイントを判断することを可能にするために、一意の識別子をアプリケーション・レイヤ・ダウンリンク・メッセージ中に挿入し、アプリケーション・レイヤ・ダウンリンク・メッセージをネットワーク構成要素に送信するダウンリンク送信構成要素をさらに含む。
【００２０】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００２１】
【図１】ワイヤレス・ネットワーク通信を多重化することを可能にする例示的なワイヤレス通信システムの図。
【図２】上流ネットワーク構成要素との多重アクセス・ポイント通信を可能にする例示的なワイヤレス通信システムの図。
【図３】上流ネットワーク構成要素と通信することに関係するアクセス・ポイントを識別することを可能にする例示的なワイヤレス通信システムの図。
【図４】アクセス・ポイントの識別を行うことを可能にする例示的なワイヤレス通信システムの図。
【図５】モビリティ管理エンティティ（ＭＭＥ）との多重化アクセス・ポイント通信を行うための例示的なワイヤレス・ネットワークの図。
【図６】上流アクセス・ポイントとの多重化アクセス・ポイント通信を行うための例示的なワイヤレス・ネットワークの図。
【図７】パケット中の識別子に基づいてパケットをアクセス・ポイントに送信する例示的な方法の図。
【図８】パケット中の識別子をモバイル・デバイス識別子と置き換え、パケットを関係するアクセス・ポイントにフォワーディングする例示的な方法の図。
【図９】アップリンク・パケットを対応する上流ネットワーク構成要素に送信する例示的な方法の図。
【図１０】パケット中の識別子をモバイル・デバイス識別子と置き換え、パケットを対応する上流ネットワーク構成要素にフォワーディングする例示的な方法の図。
【図１１】アクセス・ポイント通信のための多重化環境においてページングを実施する例示的な方法の図。
【図１２】コンセントレータ構成要素と通信する際にアクセス・ポイントに関係する識別子を受信し、挿入する例示的な方法の図。
【図１３】メッセージ中の一意の識別子を上流ネットワーク構成要素に通信する例示的な方法の図。
【図１４】本明細書に記載の様々な態様によるワイヤレス通信システムの図。
【図１５】本明細書に記載の態様によるワイヤレス通信ネットワークの図。
【図１６】本明細書に記載の様々なシステムおよび方法とともに使用できる例示的なワイヤレス・ネットワーク環境の図。
【図１７】ＭＭＥとのアクセス・ポイント通信を多重化することを可能にする例示的なシステムの図。
【図１８】上流アクセス・ポイントとのアクセス・ポイント通信を多重化することを可能にする例示的なシステムの図。
【図１９】多重化アクセス・ポイント通信においてページング機能を与える例示的なシステムの図。
【図２０】関係するアクセス・ポイントと通信する際にアクセス・ポイント識別子を受信し、利用する例示的なシステムの図。
【図２１】メッセージ中の識別子を上流ネットワーク構成要素に与える例示的なシステムの図。
【詳細な説明】
【００２２】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施できることは明らかであろう。
【００２３】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティング・デバイス上で実行されるアプリケーションと、そのコンピューティング・デバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体の中の別の構成要素と信号を介して対話する１つの構成要素からのデータなど、１つまたは複数のデータパケットを有する信号によるなど、ローカルプロセスおよび／またはリモートプロセスを介して通信することができる。
【００２４】
さらに、本明細書では、ワイヤード端末またはワイヤレス端末とすることができる端末に関する様々な態様について説明する。端末は、システム、デバイス、加入者ユニット、加入者局、移動局、モバイル、モバイル・デバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティング・デバイス、またはワイヤレスモデムに接続された他の処理デバイスとすることができる。さらに、本明細書では基地局に関する様々な態様について説明する。基地局は、（１つまたは複数の）ワイヤレス端末と通信するために利用でき、アクセス・ポイント、ノードＢ、または何らかの他の用語で呼ばれることもある。
【００２５】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００２６】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用できる。「システム」および「ネットワーク」という用語は、しばしば互換的に使用される。ＣＤＭＡシステムは、ＵＴＲＡ（Universal Terrestrial Radio Access）、ｃｄｍａ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、ＧＳＭ（登録商標）（Global System for Mobile Communications）などの無線技術を実装することができる。ＯＦＤＭＡシステムは、Ｅ−ＵＴＲＡ(Evolved UTRA)、ＵＭＢ(Ultra Mobile Broadband)、ＩＥＥＥ８０２．１１（ＷｉＦｉ）、ＩＥＥＥ８０２．１６（ＷｉＭＡＸ）、ＩＥＥＥ８０２．２０、フラッシュＯＦＤＭ（Flash-OFDM）などの無線技術を実装することができる。ＵＴＲＡおよびＥ−ＵＴＲＡは、ＵＭＴＳ（Universal Mobile Telecommunication System）の一部である。３ＧＰＰ  ＬＴＥ（Long Term Evolution）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「3rd Generation Partnership Project」（３ＧＰＰ）と称する組織からの文書に記載されている。さらに、ｃｄｍａ２０００およびＵＭＢは、「3rd Generation Partnership Project 2」（３ＧＰＰ２）と称する組織からの文書に記載されている。さらに、そのようなワイヤレス通信システムは、不対無資格スペクトル、８０２．ｘｘワイヤレスＬＡＮ、BLUETOOTH（登録商標）および任意の他の短距離または長距離ワイヤレス通信技法をしばしば使用するピア・ツー・ピア（たとえば、モバイルツーモバイル）アドホックネットワークシステムをさらに含むことができる。
【００２７】
様々な態様または特徴は、いくつかのデバイス、構成要素、モジュールなどを含むことができるシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せを使用することもできる。
【００２８】
図１を参照すると、単一のモビリティ管理エンティティ（ＭＭＥ）または上流アクセス・ポイント接続への複数のアクセス・ポイント接続を多重化することを可能にするワイヤレス通信システム１００が示されている。ＭＭＥまたはアクセス・ポイント１０４ならびに様々な下流アクセス・ポイント１０６、１０８、および１１０の間で通信することを可能にするために、それらに接続するコンセントレータ構成要素１０２が設けられる。ＭＭＥまたはアクセス・ポイント１０４は、ＭＭＥまたはＭＭＥと通信するアクセス・ポイントとすることができる。さらに、図示しないが、コンセントレータ構成要素１０２は複数のＭＭＥまたは上流アクセス・ポイントに接続することができ、アクセス・ポイント１０６、１０８、および１１０（または他の下流アクセス・ポイント）が１つまたは複数のＭＭＥあるいは上流アクセス・ポイントと通信することが可能になる。さらに、本明細書でさらに説明するように、コンセントレータ構成要素１０２は、ＭＭＥまたはアクセス・ポイント１０４ならびにアクセス・ポイント１０６、１０８、および１１０に対して透過的とすることができる。
【００２９】
一例によれば、コンセントレータ構成要素１０２は、各アクセス・ポイント１０６、１０８、および１１０について、ＭＭＥまたはアクセス・ポイント１０４との複数の関係するアプリケーション・レイヤ接続（たとえば、Ｓ１アプリケーションプロトコル（Ｓ１−ＡＰ、Ｘ２など））とともに、トランスポート・レイヤ接続（たとえば、ストリーム制御送信プロトコル（ＳＣＴＰ））を確立することができる。さらに、アクセス・ポイント１０６、１０８、および１１０は、それぞれコンセントレータ構成要素１０２とのトランスポート・レイヤ接続と、対応するアプリケーション・レイヤ接続とを確立することができる。コンセントレータ構成要素１０２は、トランスポートおよびアプリケーション・レイヤを介して、アクセス・ポイント１０６、１０８、および１１０からパケットを受信し、単一のトランスポート・レイヤ接続を介して確立された対応するアプリケーション・レイヤ接続を介して、アクセス・ポイント１０６、１０８、または１１０識別子とともに、パケットをＭＭＥまたはアクセス・ポイント１０４にフォワーディングすることができる。さらに、ＭＭＥまたはアクセス・ポイント１０４は、コンセントレータ構成要素１０２に送信されるパケット中でアクセス・ポイント識別子を示し、コンセントレータ構成要素は、パケットを適切なアクセス・ポイント１０６、１０８または１１０にフォワーディングすることができる。
【００３０】
別の例では、コンセントレータ構成要素１０２は、複数の上流ＭＭＥまたはアクセス・ポイント（たとえば、ＭＭＥまたはアクセス・ポイント１０４など）と通信することができる。この例では、コンセントレータ構成要素１０２は、アクセス・ポイント１０６、１０８、１１０、および複数の上流ＭＭＥまたはアクセス・ポイントに関係する、ルーティング・テーブルなどのルーティング情報を維持することができる。その上、この例では、アクセス・ポイント１０６、１０８、および１１０は複数のＭＭＥに接続し、コンセントレータ構成要素１０２は、各ＭＭＥについてのルーティング情報を維持し、ルーティング情報を使用して、パケットをアクセス・ポイント１０６、１０８、または１１０から適切なＭＭＥにフォワーディングすることができる。
【００３１】
さらに、コンセントレータ構成要素１０２は、場合によっては、ハンドオーバ・コマンド、リセット・メッセージなど、アクセス・ポイント間通信を処理するＭＭＥとして働くことができる。たとえば、アクセス・ポイント１０６および１０８に関係するハンドオーバ・コマンドを受信することができる。アクセス・ポイント１０６および１０８が同じ上流ＭＭＥまたはアクセス・ポイント（たとえば、ＭＭＥまたはアクセス・ポイント１０４）に関連付けられる場合、場合によっては、上流ＭＭＥまたはアクセス・ポイントにハンドオーバについて通知する必要はない。この例では、コンセントレータ構成要素１０２は、ハンドオーバ・コマンドに示すように、アクセス・ポイント１０６からアクセス・ポイント１０８への（またはその逆も同様）ハンドオーバを可能にすることができる。ただし、別の例では、コンセントレータ構成要素１０２は、ハンドオーバ・コマンド中のアクセス・ポイント識別子を、ＭＭＥまたはアクセス・ポイント１０４を用いて確立されるそれ自体の識別子と交換して、ＭＭＥまたはアクセス・ポイント１０４を、あるアクセス・ポイントがそれ自体にハンドオーバしているかのように働かせることができる。ただし、ハンドオーバ・コマンドに関与するアクセス・ポイントが異種ＭＭＥと通信する場合、コンセントレータ構成要素１０２は、ハンドオーバを可能にするために適切なアクセス・ポイントに関係する上流ＭＭＥまたはアクセス・ポイントにコマンドをフォワーディングすることができる。
【００３２】
同様に、コンセントレータ構成要素１０２は、アクセス・ポイント１０６、１０８、または１１０から送信されたリセット・メッセージを処理する際にＭＭＥとして働くことができる。この例では、コンセントレータ構成要素１０２は、アクセス・ポイント１０６、１０８、または１１０にサービスするＭＭＥまたはアクセス・ポイント１０４に、ならびにＭＭＥまたはアクセス・ポイント１０４によってサービスされている実質的にすべてのアクセス・ポイントに、リセット・メッセージを送信することができる。追加としてまたは代替的に、コンセントレータ構成要素１０２は、本明細書でさらに説明するように、リセットされるアクセス・ポイント１０６、１０８、または１１０によってサービスされる実質的にすべてのモバイル・デバイスにリセット・メッセージを送信することができる。その上、コンセントレータ構成要素１０２は、本明細書でさらに説明するように、リセットされるアクセス・ポイント１０６、１０８または１１０のうちの１つまたは複数によってサービスされるすべてのモバイル・デバイスについて別々に、ＭＭＥまたはアクセス・ポイント１０４にリセット・メッセージを送信することができる。
【００３３】
追加としてまたは代替的に、一例では、コンセントレータ構成要素１０２は、所与のアクセス・ポイント１０６、１０８、または１１０と接続されたモバイル・デバイス（図示せず）ごとに、ＭＭＥまたはアクセス・ポイント１０４とのアプリケーション・レイヤ接続を確立することができる。この例では、コンセントレータ構成要素１０２は、接続されたモバイル・デバイスに関係するアクセス・ポイント１０６、１０８、または１１０からアップリンク・パケットを受信し、コンセントレータ構成要素１０２内で一意であるモバイル・デバイスの識別子を発生することができる。たとえば、識別子は、関連付けられたアクセス・ポイント１０６、１０８、または１１０の識別子とともに、パケット（たとえば、または前の登録）から判断されたモバイル・デバイスの識別子を含むことができる。コンセントレータ構成要素１０２は、受信したパケット中のモバイル・デバイス識別子を局所的に一意の識別子と置き換え、パケットをＭＭＥまたはアクセス・ポイント１０４に送信することができる。
【００３４】
ＭＭＥまたはアクセス・ポイント１０４から受信したダウンリンク・パケットは、アップリンク・パケットにおいて使用される一意の識別子を含むことができ、コンセントレータ構成要素１０２が、関連付けられたモバイル・デバイスおよびサービング・アクセス・ポイントを識別することが可能になる。一例では、コンセントレータ構成要素１０２は、一意の識別子に関係する記憶された状態情報に従ってモバイル・デバイスにサービスするアクセス・ポイントを判断することができる。別の例では、コンセントレータ構成要素１０２は、一意の識別子に記憶された、または一意の識別子によって示された情報に基づいてサービング・アクセス・ポイントを判断することができる。いずれの場合も、コンセントレータ構成要素は、ダウンリンク・パケット中の一意の識別子を、前にサービング・アクセス・ポイントから受信したモバイル・デバイス識別子と置き換え、適切なモバイル・デバイスに伝搬するためにパケットをサービング・アクセス・ポイントにフォワーディングすることができる。別の例では、コンセントレータ構成要素１０２は、ダウンリンク・パケット中のサービング・アクセス・ポイント情報を判断し、適切なモバイル・デバイスに伝搬するためにパケット中の識別子の置き換え／変更なしに、パケットをサービング・アクセス・ポイントにフォワーディングすることができる。
【００３５】
さらに、コンセントレータ構成要素１０２は、アクセス・ポイント１０６、１０８、および１１０によって指定されたトラッキング・エリアのためのページングを実施することができる。たとえば、アクセス・ポイント１０６、１０８、および１１０は、コンセントレータ構成要素１０２との接続を確立するときにトラッキング・エリアを示すことができる（および／またはコンセントレータ構成要素１０２は、関係するトラッキング・エリアを他の方法で受信または判断することができる）。コンセントレータ構成要素１０２は、接続アクセス・ポイントからの新しいトラッキング・エリアに遭遇した場合、構成更新メッセージ中でトラッキング・エリア情報をＭＭＥまたはアクセス・ポイント１０４にフォワーディングすることができる。ＭＭＥまたはアクセス・ポイント１０４は、トラッキング識別子を備えるコンセントレータ構成要素１０２にページを送信することによって、ページングを利用することができる。コンセントレータ構成要素１０２は、その後、一例では、トラッキング・エリアに関連付けられる実質的にすべてのアクセス・ポイントにページを送信することができ、アクセス・ポイントが、ページ中で識別された適切なモバイル・デバイスをページングすることが可能になる。
【００３６】
次に図２を参照すると、所与のＭＭＥまたは上流アクセス・ポイントへの複数のアクセス・ポイント接続を維持することを可能にする例示的なワイヤレス通信システム２００が示されている。説明したように、１つまたは複数のＭＭＥ２０２または上流アクセス・ポイント２０４との通信を可能にする複数のアクセス・ポイント１０６、１０８、および１１０に接続することができるコンセントレータ構成要素１０２が設けられる。上流アクセス・ポイント２０４は、ＭＭＥ２０２または他の上流ネットワーク構成要素に接続し、たとえば、コンセントレータ構成要素１０２を介してアクセス・ポイント１０６、１０８、および１１０について、それらとの通信を可能にすることができる。さらに、モバイル・デバイス２０６および２０８は、ワイヤレス・ネットワーク・アクセスを受信するためにアクセス・ポイント１０６と通信することができる。たとえば、より多くのモバイル・デバイスが、アクセス・ポイント１０６と、および／あるいは上流アクセス・ポイント１０８または１１０のうちの１つまたは複数とそのように通信することができることを諒解されたい。
【００３７】
コンセントレータ構成要素１０２は、１つまたは複数のトランスポート・レイヤ接続と、ＭＭＥまたは上流アクセス・ポイントとの複数のアプリケーション・レイヤ接続とを管理する上流接続構成要素２１０と、複数のアクセス・ポイントとのトランスポートおよびアプリケーション・レイヤ接続を管理する下流接続構成要素２１２と、ＭＭＥまたは他の上流アクセス・ポイントに関連付けられる複数のアクセス・ポイントの状態情報を維持するアクセス・ポイント・ルーティング構成要素２１４と、複数のアクセス・ポイントのうちの１つまたは複数に接続された複数のモバイル・デバイスの状態情報を維持するモバイル・デバイス・ルーティング構成要素２１６と、コンセントレータ構成要素１０２に接続されたアクセス・ポイント間で送信されるメッセージまたはパケットを処理することができるインターアクセス・ポイント・メッセージ構成要素２１８と、関係するトラッキング・エリアに基づいてモバイル・デバイスのためのページをサービング・アクセス・ポイントに送信するページング構成要素２２０とを含むことができる。
【００３８】
一例によれば、上流接続構成要素２１０はＭＭＥ２０２および／またはアクセス・ポイント２０４との接続を確立することができる。たとえば、上流接続構成要素２１０は、一例では、ＭＭＥおよび／またはアクセス・ポイント２０４とのＳＣＴＰ関連付けを確立することができ、いくつかのアプリケーション・レイヤ（たとえば、Ｓ１−ＡＰ、Ｘ２など）接続またはストリームが可能になる。接続確立中に、上流接続構成要素２１０は、たとえば、ＭＭＥ２０２またはアクセス・ポイント２０４から送信されるパケットを識別する際に後で使用するために、ＭＭＥ２０２の一意の識別子（たとえば、グローバルな一意のＭＭＥ識別子（global unique MME identifier）（ＧＵＭＭＥＩ））またはアクセス・ポイント２０４の一意の識別子（たとえば、ｅＮＢグローバル識別子（eNB global identifier）（ＥＧＩ））を受信することができる。上流接続構成要素２１０が様々なＭＭＥまたはアクセス・ポイントへの複数の上流接続を維持するとき、そのような識別子を使用することが有用となることを諒解されたい。
【００３９】
さらに、たとえば、下流接続構成要素２１２は、コンセントレータ構成要素１０２への、またはＭＭＥ２０２への、または上流アクセス・ポイント２０４への対応するアクセス要求を受信すると、アクセス・ポイント１０６、１０８、および１１０との接続を確立することができる（たとえば、説明したように、コンセントレータ構成要素１０２は、アクセス・ポイントに対して透過的とすることができる）。たとえば、アクセス・ポイント１０６、１０８、および１１０は下流接続構成要素２１２とのＳＣＴＰ関連付けをセットアップすることができ、それに対して、コンセントレータ構成要素１０２は、ＭＭＥ２０２または上流アクセス・ポイント２０４に関するアクションをとらない。下流接続構成要素２１２は、一例では、アクセス・ポイント１０６、１０８、および１１０が直接ＭＭＥ２０２または上流アクセス・ポイント２０４との接続をセットアップしたかのように、ＭＭＥ２０２の識別子（たとえば、ＧＵＭＭＥＩ）または上流アクセス・ポイント２０４の識別子（たとえば、ＥＧＩ）をそれらのアクセス・ポイントに送信することができる。その後、アクセス・ポイント１０６、１０８、および１１０は、コンセントレータ構成要素１０２との接続を確立することを可能にするために、下流接続構成要素２１２によって受信されるアプリケーション・レイヤ初期化メッセージ（たとえば、Ｓ１−ＡＰまたはＸ２メッセージ）を送信することができる。上流接続構成要素２１０は、Ｓ１−ＡＰ／Ｘ２メッセージをＭＭＥ２０２および／または上流アクセス・ポイントにフォワーディングすることができ、一例では、これは、メッセージ中で識別されるＭＭＥまたは上流アクセス・ポイントなど、メッセージ中の情報に基づくことができる。ＭＭＥ２０２または上流アクセス・ポイント２０４は、上流接続構成要素２１０とのＳＣＴＰ接続を介してアプリケーション・レイヤ接続をセットアップすることができる。したがって、たとえば、アクセス・ポイント１０６、１０８または１１０と下流接続構成要素２１２との間の接続が（たとえば、アプリケーション・レイヤまたはトランスポート・レイヤにおいて）できない場合、下流接続構成要素２１２は、ＭＭＥ２０２または上流アクセス・ポイント２０４への関係するアプリケーション・レイヤ接続を閉じることができる。
【００４０】
その上、説明したように、コンセントレータ構成要素１０２は複数のＭＭＥまたは上流アクセス・ポイントに接続することができる。この例では、コンセントレータ構成要素１０２は、様々なＭＭＥまたは上流アクセス・ポイントへのアクセスを公開することができ、アクセス・ポイント１０６、１０８、および１１０などの下流アクセス・ポイントが所望のＭＭＥまたは上流アクセス・ポイントを選択することが可能になる。選択されたＭＭＥまたは上流アクセス・ポイントに関する情報を、たとえば、アクセス・ポイント・ルーティング構成要素２１４中のルーティング・テーブルに記憶することができる。さらに、下流アクセス・ポイントのうちの１つまたは複数を複数のＭＭＥまたは上流アクセス・ポイントに接続することができ、その場合、下流アクセス・ポイントは、各接続について異なるＩＰまたは他のアドレスを使用して、コンセントレータ構成要素１０２を通して接続を交渉することができる。アクセス・ポイント・ルーティング構成要素２１４は、さらに以下で説明するように、ＩＰまたは他のアドレスおよび他の情報に基づいて複数の関連付けを記憶することができる。
【００４１】
さらに、アクセス・ポイント・ルーティング構成要素２１４は、アクセス・ポイント１０６、１０８、または１１０と、ＭＭＥ２０２またはアクセス・ポイント２０４などの適切なＭＭＥまたはアクセス・ポイントとの間の関連付けを記憶することができる。たとえば、上流接続構成要素２１０によって受信される（および／またはアクセス・ポイント初期化要求中に示される）ＭＭＥ２０２のＧＵＭＭＥＩまたは上流アクセス・ポイント２０４のＥＧＩと、トランスポート・レイヤおよび／またはアプリケーション・レイヤ・セットアップ要求中で下流接続構成要素２１２によって受信できる、適切なアクセス・ポイント１０６、１０８、または１１０に関係する識別子とともに、関連付けを記憶することができる。これは、説明したように、アクセス・ポイント１０６、１０８、または１１０を局所的に識別するＥＧＩとすることができる。さらに、アクセス・ポイント・ルーティング構成要素２１４は、アクセス・ポイント識別子をアクセス・ポイントのＩＰアドレスに関連付けることができる。一例では、下流接続構成要素２１２は、アクセス・ポイント１０６、１０８、および１１０から、たとえば、各パケット中にアクセス・ポイントの識別子を含むパケットを受信することができ、アクセス・ポイント・ルーティング構成要素２１４は、パケット中の情報に基づいて、および／またはアクセス・ポイント・ルーティング構成要素２１４に記憶された、アクセス・ポイント識別子またはＩＰアドレスとＭＭＥ識別子との間の関連付けに基づいて宛先ＭＭＥまたは上流アクセス・ポイントを判断することができる。いずれの場合も、アクセス・ポイント・ルーティング構成要素２１４は、たとえば、適切なＭＭＥまたは上流アクセス・ポイントに伝搬するためにパケットを上流接続構成要素２１０にフォワーディングすることができる。
【００４２】
ＭＭＥ２０２またはアクセス・ポイント２０４からパケットを受信すると、上流接続構成要素２１０は、パケットを受信すべき１つまたは複数の適切なアクセス・ポイントを判断するために、アクセス・ポイント・ルーティング構成要素２１４に問い合わせることができる。一例では、上流接続構成要素２１０は、パケットに関係するＭＭＥ識別子または上流アクセス・ポイント識別子、および／またはパケットを受信すべきアクセス・ポイントを局所的に識別する、下流アクセス・ポイントに関係する（上述のＥＧＩなどの）アクセス・ポイント識別子を取得することができる。一例では、下流アクセス・ポイント識別子は、ＭＭＥ２０２またはアクセス・ポイント２０４によって受信されたダウンリンク・パケット中の別の識別子と、セットアップ中に他の識別子を受信されたアクセス・ポイント識別子に関連付けるアクセス・ポイント・ルーティング構成要素２１４のルーティング・テーブル中のエントリとに基づいて判断できる。下流接続構成要素２１２は、この識別子に基づいてパケットを適切なアクセス・ポイントにフォワーディングすることができる。下流アクセス・ポイントが複数のＭＭＥまたは上流アクセス・ポイントに関連付けられた場合、下流接続構成要素２１２は、ＭＭＥ識別子または上流アクセス・ポイント識別子に基づいてパケットを下流アクセス・ポイントにさらにフォワーディングすることができる。したがって、たとえば、アクセス・ポイント１０６、１０８、または１１０などの下流アクセス・ポイントは、各ＭＭＥまたは上流アクセス・ポイント接続について１つまたは複数ある、下流接続構成要素２１２との複数のトランスポートおよび／またはアプリケーション・レイヤ接続を初期化することができる。この点について、アクセス・ポイント・ルーティング構成要素２１４は、ＭＭＥまたは上流アクセス・ポイント識別子と下流アクセス・ポイント識別子とに基づいて、どの接続を介してパケットを下流アクセス・ポイントにフォワーディングすべきかを判断することができる。
【００４３】
別の例では、アクセス・ポイント１０６は、モバイル・デバイス２０６および２０８へのネットワーク・アクセスを行うことができる。この点について、下流接続構成要素２１２は、アクセス・ポイント１０６からモバイル・デバイス固有のパケットを受信することができる。最初のパケットを受信すると、上流接続構成要素２１０は、モバイル・デバイス２０６または２０８に対して、ＭＭＥ２０２または上流アクセス・ポイント２０４とのトランスポート・レイヤ接続を介して、アプリケーション・レイヤ接続を確立することができる。さらに、モバイル・デバイス・ルーティング構成要素２１６は、モバイル・デバイス２０６または２０８に関係する識別子、および／またはアクセス・ポイント１０６に関係する識別子を抽出することができる。一例では、モバイル・デバイス識別子は、アクセス・ポイント１０６によって割り当てられ、モバイル・デバイス２０６または２０８などからのアップリンク・パケット中に指定されることがある。モバイル・デバイス・ルーティング構成要素２１６は、アクセス・ポイント１０６とモバイル・デバイス２０６または２０８との識別子に関係する一意の識別子を生成し、受信したパケット中の識別子を一意の識別子と置き換えることができ、実際、一意の識別子は両方の識別子を備えることができる。その後、上流接続構成要素２１０は、作成されたアプリケーション・レイヤ接続を使用して、パケットを適切なＭＭＥ２０２または上流アクセス・ポイント２０４に通信することができる。同様に、所望のＭＭＥまたは上流アクセス・ポイントをアクセス・ポイント１０６からのパケット中に示すことができ、一例では、および／または上流接続構成要素２１０は、パケットを前にアクセス・ポイント１０６に関連付けられるＭＭＥまたは上流アクセス・ポイントに通信することができる。
【００４４】
さらに、上流接続構成要素２１０は、モバイル・デバイス２０６および２０８、または他のモバイル・デバイスに関係するＭＭＥ２０２または上流アクセス・ポイント２０４からダウンリンク・パケットを受信することができる。モバイル・デバイス・ルーティング構成要素２１６は、パケット中の一意のモバイル・デバイス識別子に基づいて、ダウンリンク・パケットが関係するアクセス・ポイントおよび接続されたモバイル・デバイスを判断することができる。たとえば、（たとえば、ルーティング・テーブルに追加されるかまたは挿入する）関連付けとして記憶された場合、モバイル・デバイス・ルーティング構成要素２１６は、一意の識別子を、モバイル・デバイス２０６または２０８などに対するモバイル・デバイス識別子と、アクセス・ポイント１０６などに対する関連付けられたアクセス・ポイント識別子とに照合することができる。別の例では、一意の識別子がモバイル・デバイスおよびアクセス・ポイント識別子から構成された場合、モバイル・デバイス・ルーティング構成要素２１６は一意の識別子からモバイル・デバイスおよびアクセス・ポイント識別子を識別することができる。いずれの場合も、モバイル・デバイス・ルーティング構成要素２１６はさらに、パケット中の一意の識別子を、判断されたモバイル・デバイス識別子と置き換えることができ、下流接続構成要素２１２は、アクセス・ポイント識別子に基づいてパケットを適切なアクセス・ポイントにフォワーディングすることができる。
【００４５】
さらに別の例では、インターアクセス・ポイント・メッセージ構成要素２１８は、コンセントレータ構成要素１０２によってサービスされるアクセス・ポイント間でメッセージを通信する際に、ＭＭＥとして同様の機能を実行することができる。たとえば、アクセス・ポイント１０６および１０８などの２つのアクセス・ポイントが同じＭＭＥ２０２または上流アクセス・ポイント２０４に関連付けられる場合、インターアクセス・ポイント・メッセージ構成要素２１８はアクセス・ポイント１０６とアクセス・ポイント１０８との間の通信を可能にすることができる。一例では、アクセス・ポイント１０６は、モバイル・デバイス２０６から通信をハンドオーバすることを可能にするために、ハンドオーバまたはセル再選択コマンドを送信することができ、ハンドオーバまたはセル再選択コマンドは、下流接続構成要素２１２によって受信される。下流接続構成要素２１２は、ハンドオーバ・コマンドを検出し、ソース・アクセス・ポイント１０６およびターゲット・アクセス・ポイント１０８を判断することができる。アクセス・ポイント１０６および１０８が、説明したように、同じＭＭＥまたは上流アクセス・ポイントに関連付けられ、そのことがアクセス・ポイント・ルーティング構成要素２１４から判断できる場合、インターアクセス・ポイント・メッセージ構成要素２１８は、下流接続構成要素２１２を介してハンドオーバ・コマンドをアクセス・ポイント１０８にフォワーディングすることができる。したがって、ＭＭＥまたは上流アクセス・ポイントはハンドオーバに関与する必要はないが、一例では、コンセントレータ構成要素１０２がハンドオーバについてＭＭＥまたは上流アクセス・ポイント（たとえば、ＭＭＥ２０２またはアクセス・ポイント２０４）に通知することができることを諒解されたい。
【００４６】
ただし、別の例では、インターアクセス・ポイント・メッセージ構成要素は、ハンドオーバ・コマンド中のソースおよびターゲット・アクセス・ポイント識別子をコンセントレータ構成要素１０２の識別子と置き換え、コマンドを適切なＭＭＥまたは上流アクセス・ポイントにフォワーディングすることができる。この点について、ＭＭＥ（たとえば、ＭＭＥ２０２）または上流アクセス・ポイント（たとえば、アクセス・ポイント２０４）は、コンセントレータ構成要素１０２を、それ自体にハンドオーバするかのように扱い、コンセントレータ構成要素１０２に、適切なアクセス・ポイント１０６および１０８との間でハンドオーバ情報をフォワーディングさせることができる。別の例では、インターアクセス・ポイント・メッセージ構成要素２１８は、下流接続構成要素２１２を介してアクセス・ポイント１０６、１０８、または１１０から受信したリセット・メッセージを適宜に処理することができる。たとえば、下流接続構成要素２１２は、アクセス・ポイント１０６からリセットコマンドを受信することができ、インターアクセス・ポイント・メッセージ構成要素２１８は、一例では、上流接続構成要素２１０を利用して、メッセージを、アクセス・ポイント・ルーティング構成要素２１４によって示される関係するＭＭＥおよび／または上流アクセス・ポイントにフォワーディングすることができる。さらに、インターアクセス・ポイント・メッセージ構成要素２１８は、アクセス・ポイント・ルーティング構成要素２１４によって判断された、同じＭＭＥまたは上流アクセス・ポイントに関連付けられる実質的にすべてのアクセス・ポイントにリセット・メッセージを中継することができる。その上、下流接続構成要素２１２は、一例では、関係するリセット・メッセージを、モバイル・デバイス・ルーティング構成要素２１６中に示されるアクセス・ポイントによってサービスされるモバイル・デバイスに送信することができる。代替的に、たとえば、下流接続構成要素２１２は、アクセス・ポイント１０６からリセットコマンドを受信することができ、モバイル・デバイス・ルーティング構成要素２１６は、一例では、アクセス・ポイント１０６によってサービスされるＵＥごとにリセット・メッセージを、関係するＭＭＥ２０２および／または上流アクセス・ポイント２０４に送信することができる。
【００４７】
また、ＭＭＥ２０２または上流アクセス・ポイント２０４がリセット・メッセージを送信し、上流接続構成要素２１０がそれを受信することができることを諒解されたい。したがって、アクセス・ポイント・ルーティング構成要素２１４は、たとえば、下流接続構成要素２１２を使用してリセット・メッセージを送信することによって、関連付けられたアクセス・ポイントに通知することができる。さらに別の例では、ページング構成要素２２０は、アクセス・ポイント１０６、１０８、または１１０に関連付けられるトラッキング・エリアに基づいて、サービスされるモバイル・デバイスに関係するページング・メッセージをアクセス・ポイント１０６、１０８、または１１０に送信することができる。この例では、コンセントレータ構成要素１０２との接続を確立したときに、アクセス・ポイント１０６、１０８、および１１０は、接続確立要求中でトラッキング・エリア情報を送信することができる。ページング構成要素２２０は、アクセス・ポイント１０６、１０８、および１１０に関連付けられるトラッキング・エリア情報を記憶することができる。新しいトラッキング・エリア（たとえば、ページング構成要素２２０中にその情報とともに記憶されていないトラッキング・エリア）が画定された場合、ページング構成要素２２０は、構成更新メッセージを、ＭＭＥ２０２などの関連付けられたＭＭＥ、またはアクセス・ポイント２０４などの上流アクセス・ポイントに送信することができる。この点について、ＭＭＥ２０２および／または上流アクセス・ポイント２０４は、ページング・メッセージを上流接続構成要素２１０に送信することによって、そのメッセージをトラッキング・エリア中の実質的にすべてのモバイル・デバイスに送信することができる。ページング構成要素２２０は、たとえば、メッセージ中で識別されたトラッキング・エリアに基づくアクセス・ポイントに、およびページング構成要素２２０に記憶された、トラッキング・エリアに関係するアクセス・ポイントにメッセージをフォワーディングすることができる。ページング構成要素２２０は、追加または代替として、ページング構成要素２２０が、受信されたページング・メッセージをコンセントレータ構成要素１０２に接続された実質的にすべてのアクセス・ポイントにフォワーディングし、アクセス・ポイントが、メッセージ中に記憶されたトラッキング識別子に基づいてメッセージが適用するかどうかを判断することができる、ステートレス設計を同様に実施することができることを諒解されたい。
【００４８】
図３を参照すると、複数のアクセス・ポイントに単一トランスポート・レイヤ接続を介したＭＭＥまたは上流アクセス・ポイント通信を与えることを可能にする例示的なワイヤレス通信システム３００が示されている。ＭＭＥまたはアクセス・ポイント１０４と通信することを可能にするためにＭＭＥまたはアクセス・ポイント１０４へのトランスポート・レイヤ接続を確立し、複数のアクセス・ポイント１０６、１０８、および１１０とのトランスポートおよびアプリケーション・レイヤ接続を確立するコンセントレータ構成要素１０２が設けられる。コンセントレータ構成要素１０２は、説明したように、ワイヤレス・ネットワーク・アクセスを可能にするために、アクセス・ポイント１０６、１０８、および１１０に対してＭＭＥまたは上流アクセス・ポイント１０４とのアプリケーション・レイヤ接続を確立する。さらに、コンセントレータ構成要素１０２は、説明したように、複数のＭＭＥまたは上流アクセス・ポイントをサポートすることができる。アクセス・ポイント１０６は、説明したように、コンセントレータ構成要素１０２への接続を確立し、ＭＭＥまたはアクセス・ポイント１０４との後続の通信において使用するための識別子を与えることができる。
【００４９】
ＭＭＥまたはアクセス・ポイント１０４は、（たとえば、アクセス・ポイント１０６、１０８、または１１０、および／またはそのアクセス・ポイントと通信しているモバイル・デバイスに代わって）コンセントレータ構成要素１０２から要求を取得することができるアップリンク受信構成要素３０２と、コンセントレータ構成要素１０２からのアップリンク・パケットに関連付けられる識別子を判断することができるアクセス・ポイント識別子構成要素３０４と、コア・ワイヤレス・ネットワークとの間でデータを送信および受信することができるコア・ネットワーク通信構成要素３０６と、１つまたは複数のアクセス・ポイントに送信するために、コンセントレータ構成要素１０２にデータとともに通信することができるダウンリンク送信構成要素３０８とを備えることができる。
【００５０】
一例によれば、コンセントレータ構成要素１０２はＭＭＥまたはアクセス・ポイント１０４への接続をセットアップし、一例では、ＭＭＥまたはアクセス・ポイント１０４に関連付けられる識別子を受信することができる。アクセス・ポイント１０６、１０８、および１１０のうちの１つまたは複数は、説明したように、最終的にＭＭＥまたはアクセス・ポイント１０４へのアクセスを受信するために、コンセントレータ構成要素１０２との接続を確立することができ、コンセントレータ構成要素１０２は、アクセス・ポイント１０６、１０８、および１１０に対してＭＭＥまたはアクセス・ポイント１０４とのアプリケーション・レイヤ接続をセットアップすることができる。その後、アクセス・ポイント１０６、１０８、および１１０は、セットアップ中に指定された識別子を備えるパケットをコンセントレータ構成要素１０２に送信することができる。説明したように、これは、アクセス・ポイント識別子（たとえば、ＥＧＩ）、サービスされるモバイル・デバイスの識別子の一部などとすることができる。さらに、一例で説明したように、コンセントレータ構成要素１０２は、一例では、その識別子を、アクセス・ポイント識別子とモバイル・デバイス識別子の両方が存在する場合のアクセス・ポイント識別子のモバイル・デバイス識別子への関連付けなど、コンセントレータ構成要素１０２内で一意の識別子と置き換えることができる。
【００５１】
いずれの場合も、コンセントレータ構成要素１０２はアップリンク・パケットをＭＭＥまたはアクセス・ポイント１０４に送信することができ、アップリンク受信構成要素３０２はアップリンク・パケットを取得することができる。アクセス・ポイント識別子構成要素３０４は、たとえば、パケットに関連付けられた識別子を判断することができ、コア・ネットワーク通信構成要素３０６は要求をコア・ワイヤレス・ネットワーク（図示せず）に送信することができる。コア・ネットワーク通信構成要素３０６が応答パケットを識別子に関連付けることができるように、識別子を要求中に含めるか、または他の方法で関連付けることができることを諒解されたい。さらに、１つまたは複数のアクセス・ポイント１０６、１０８または１１０に送信するために、コア・ネットワーク通信構成要素３０６においてパケットを受信するための要求が（たとえば、コア・ワイヤレス・ネットワークに）必要とされないことを諒解されたい。たとえば、コア・ネットワークは、最初に要求を受信することなしに、アクセス・ポイント１０６、１０８、または１１０にフォワーディングするために、ページング・メッセージ・パケットをコア・ネットワーク通信構成要素３０６に送信することができる。
【００５２】
コア・ネットワークからダウンリンク・パケットを受信すると、コア・ネットワーク通信構成要素３０６は、ダウンリンク・パケットに関連付けられるアクセス・ポイントを判断することができる。これは、説明したように、関係するアップリンク・パケット中でコア・ネットワーク通信構成要素３０６によって送信された識別子またはコンテキストとすることができるダウンリンク・パケット中の識別子またはコンテキストに基づくことができる。ダウンリンク送信構成要素３０８は、たとえば、コア・ネットワークからのダウンリンク・パケット中で指定される識別子とは異なる場合、適切なアクセス・ポイント識別子をダウンリンク・パケットに関連付け、応答をコンセントレータ構成要素１０２に与えることができる。たとえば、ダウンリンク送信構成要素３０８は、コンセントレータ構成要素１０２に送信された実質的にすべてのパケットが、関連付けられたアクセス・ポイント識別子を有するようにすることができる。また、説明したように、たとえば、パケットがアクセス・ポイントによってサービスされるモバイル・デバイスに関係する場合、コンセントレータ構成要素１０２はパケット中の識別子を置き換えることができる。コンセントレータ構成要素１０２は、前述のように、識別子に基づいてダウンリンク・パケットを適切なアクセス・ポイント１０６、１０８および／または１１０に与えることができる。
【００５３】
ＭＭＥまたはアクセス・ポイント１０４は、アクセス・ポイントからの正規の直接トランスポート・レイヤ接続だけでなく、コンセントレータ構成要素１０２からのトランスポート・レイヤ接続をもサポートすることができる。説明したように、コンセントレータ構成要素１０２接続が単一のトランスポート・レイヤ接続または関連付けを介して複数のアプリケーション・レイヤ接続をサポートすることができるという点で、コンセントレータ構成要素１０２からのトランスポート・レイヤ接続はアクセス・ポイントとの従来の直接接続とは異なるとすることができることを諒解されたい。
【００５４】
図４を参照すると、単一のトランスポート・レイヤ接続を介してＭＭＥまたは上流アクセス・ポイントへのアクセス・ポイント接続を多重化する例示的なワイヤレス通信システム４００が示されている。システム４００は、説明したように、ＭＭＥまたは上流アクセス・ポイント１０４アクセスをアクセス・ポイント１０６などの複数のアクセス・ポイントに与えることができるコンセントレータ構成要素１０２を含む。特に、アクセス・ポイント１０６は、セットアップ中に、コンセントレータ構成要素１０２への各後続のパケット送信において使用するために識別子を関連付けることができる。説明したように、これにより、ＭＭＥまたはアクセス・ポイント１０４に送信するかまたはそこから受信するとき、コンセントレータ構成要素１０２がパケットをアクセス・ポイント１０６に関連付けることが可能になる。たとえば、ＭＭＥまたはアクセス・ポイント１０４がダウンリンク・パケットをコンセントレータ構成要素１０２に送信する場合、この点について、識別子を使用してダウンリンク・パケットをアクセス・ポイント１０６に関連付けることもできる。
【００５５】
アクセス・ポイント１０６は、アップリンク・パケットをコンセントレータ構成要素１０２に送信する際に利用すべき識別子を生成するかまたは他の方法で取得することができる識別子指定構成要素４０２と、説明したように、コンセントレータ構成要素１０２との接続を確立することができる接続要求構成要素４０４と、アップリンク・パケットをコンセントレータ構成要素１０２に送信することができるアップリンク送信構成要素４０６と、コンセントレータ構成要素１０２からダウンリンク・パケットを受信することができるダウンリンク受信構成要素４０８と、ワイヤレス・ネットワーク・アクセスを１つまたは複数モバイル・デバイス（図示せず）に与えることができるモバイル・デバイス通信構成要素４１０とを備えることができる。
【００５６】
一例によれば、コンセントレータ構成要素１０２は、説明したように、ＭＭＥまたはアクセス・ポイント１０４とのトランスポート・レイヤ接続を確立することができる。説明したように、たとえば、コンセントレータ構成要素１０２は、アクセス・ポイント１０６に対して透過的とすることができるので、アクセス・ポイント１０６は、ＭＭＥまたは上流アクセス・ポイント１０４に直接接続しているかのように機能する。たとえば、識別子指定構成要素４０２は、アクセス・ポイント１０６に関係する識別子を生成するかまたは取得することができ、接続要求構成要素４０４は、識別子を指定するＭＭＥまたはアクセス・ポイント１０４へのアクセス要求を作成することができる。接続要求構成要素４０４は、そのアクセス要求を、識別子、および／または説明したように識別子に関係する関連付けを記憶することができるコンセントレータ構成要素１０２に送信し、アクセス・ポイント１０６に関係するＭＭＥまたはアクセス・ポイント１０４とのアプリケーション・レベル接続を確立することができる。
【００５７】
アップリンク送信構成要素４０６は、アップリンク・パケットをコンセントレータ構成要素１０２に与え、各パケット中で識別子指定構成要素４０２からのアクセス・ポイント識別子を指定することができる。説明したように、これにより、コンセントレータ構成要素１０２が、対応するＭＭＥまたはアクセス・ポイント１０４へのアップリンク・パケットの後続の送信のためにアクセス・ポイントを識別し、アップリンク・パケットに関係するＭＭＥまたはアクセス・ポイント１０４から受信した任意の応答を識別することが可能になる。一例では、そのような応答は、コンセントレータ構成要素１０２によってダウンリンク・パケット中で受信できる。説明したように、コンセントレータ構成要素１０２は、関係するアクセス・ポイント１０６を判断し、ダウンリンク・パケットをダウンリンク受信構成要素４０８にフォワーディングすることができる。ダウンリンク受信構成要素４０８は、パケットコンテンツが前の要求に対する許容できるまたは予想される応答であるかどうかなど、利用される識別子を含む様々なファクタに基づいて、パケットが適宜に配信されるようにすることができる。
【００５８】
さらに、モバイル・デバイス通信構成要素４１０は、アクセス・ポイント１０６を介してワイヤレス・ネットワーク・アクセスを１つまたは複数のモバイル・デバイスに与えることができる。この例では、モバイル・デバイス通信構成要素４１０はモバイル・デバイスからアップリンク・パケットを受信することができる。識別子指定構成要素４０２は、モバイル・デバイスに、たとえば、アクセス・ポイント１０６に局所的に一意である識別子を割り当てることができる。一例では、この割当てを、モバイル・デバイスとの接続確立時に行うことができる。アップリンク送信構成要素４０６は、識別子指定構成要素４０２によってモバイル・デバイスに割り当てられた識別子とともに、アップリンク・パケットをコンセントレータ構成要素１０２に送信することができる。一例では、モバイル・デバイスに対する識別子は、識別子指定構成要素４０２によって割り当てられるのではなく、モバイル・デバイスからアップリンク・パケット中で受信できる。いずれの場合も、説明したように、識別子は、モバイル・デバイスとアクセス・ポイント１０６との間の後続の通信において使用できる。
【００５９】
いずれの場合も、コンセントレータ構成要素１０２は、パケットを受信すると、アクセス・ポイントおよびモバイル・デバイス識別子に基づいて局所的に一意の識別子を作成し、説明したように、ＭＭＥまたはアクセス・ポイント１０４と通信する際に、元のモバイル・デバイス識別子の代わりに一意の識別子を利用することができる。また、コンセントレータ構成要素１０２は、モバイル・デバイスに関係するＭＭＥまたはアクセス・ポイント１０４からダウンリンク・パケットを受信し、（たとえば、局所的に一意の識別子に基づいて）これらのパケットをアクセス・ポイント１０６にフォワーディングし、局所的に一意の識別子を、コンセントレータ構成要素１０２に最初に提示されたモバイル・デバイス識別子と置き換えることができる。また、コンセントレータ構成要素１０２は、アクセス・ポイント識別子が存在する場合、アクセス・ポイント識別子を使用してこれらのダウンリンク・パケットを適切なアクセス・ポイントにフォワーディングすることができることを諒解されたい。たとえば、ダウンリンク受信構成要素４０８は、識別子に基づいてダウンリンク・パケットの対応するモバイル・デバイスを判断することができ、モバイル・デバイス通信構成要素４１０は、ダウンリンク・パケットをモバイル・デバイスにフォワーディングすることができる。
【００６０】
次に図５を参照すると、コンセントレータ構成要素を利用して、ＭＭＥにアクセスするアクセス・ポイントに対して多重化を行う例示的なワイヤレス通信ネットワーク５００が示されている。ネットワーク５００は、一例では、フェムトセル・アクセス・ポイント、ピコセル・アクセス・ポイント、中継ノードなどの小規模アクセス・ポイント、またはマクロセル・アクセス・ポイントを指すｅＮＢ／ホームｅＮＢ（ＨｅＮＢ）５０４からネットワーク・アクセスを受信するモバイル・デバイス５０２を含むことができる。ネットワーク・アクセスは、Ｅ−ＵＴＲＡ、ＵＢＭ、ＷｉＭＡＸなど、実質的に任意の規格とすることができる。ＨｅＮＢ５０４は、説明したように、モバイル・デバイス５０２などに代わって、Ｓ１−ＭＭＥインターフェースを使用してコンセントレータ構成要素１０２と通信し、したがって、本明細書で説明するように、コンセントレータ構成要素１０２が、Ｓ１−ＭＭＥインターフェースを使用してＭＭＥ１０４との通信をトラッキングすることが可能になるように、アクセス・ポイントおよび／またはモバイル・デバイス識別子を与えることができる。ＭＭＥ１０４は、説明したように、コア・ネットワークと通信することができる。
【００６１】
コア・ネットワークは様々な他の構成要素を含む。たとえば、ＭＭＥ１０４は、Ｓ３規格を介してサービング汎用パケット無線サービス（ＧＰＲＳ）サポート・ノード（ＳＧＳＮ）と通信して、ＵＴＲＡネットワーク５０８および／またはＧＳＭエッジ無線アクセスネットワーク（ＧＥＲＡＮ）５１０へのアクセスを受信することができる。ＭＭＥ１０４は、たとえば、Ｓ６ａ規格を介してホーム加入者サーバ（ＨＳＳ）５１２に接続して、加入者情報を得ることができる。
【００６２】
別の例では、ｅＮＢ／ＨｅＮＢ５０４は、Ｓ１−Ｕインターフェースを介してサービングゲートウェイ（ＳＧＷ）５１４と通信して、インターネット５１８および／またはＩＰマルチサブシステム（ＩＭＳ）５２０および／または他のＩＰシステムへのアクセスを受信することができる。別の例では、ｅＮＢ／ＨｅＮＢ５０４は、説明したように、ＭＭＥまたはｅＮＢ／ＨｅＮＢ１０４と通信するコンセントレータ構成要素１０２を介してそのように接続することができる。ＭＭＥ１０４は、Ｓ１１インターフェースを介して、Ｓ４インターフェースを使用するＳＧＳＮ５０６を通って、および／またはＳ１２インターフェースによるＵＴＲＡネットワーク５０８を介してＳＧＷ５１４との接続を確立することができる。いずれの場合も、ＳＧＷは、Ｓ５／Ｓ８インターフェースを介してパケットデータネットワーク（ＰＤＮ）ゲートウェイ（ＰＧＷ）５１６と通信することによってネットワーク・アクセスを可能にし、ＰＧＷ５１６は、ＳＧｉインターフェースを使用して、またはＧｘインターフェースによるポリシーおよび課金ルール機能（ＰＣＲＦ）５２２を介してインターネット５１８またはＩＭＳ５２０と直接通信することができる。後者の例では、ＰＣＲＦ５２２は、Ｒｘインターフェースを介してＩＭＳ５２０と通信することができる。
【００６３】
次に図６を参照すると、コンセントレータ構成要素を利用して、異種アクセス・ポイントにアクセスするアクセス・ポイントに対して多重化を行う例示的なワイヤレス通信ネットワーク６００が示されている。ネットワーク６００は、一例では、フェムトセル・アクセス・ポイント、ピコセル・アクセス・ポイント、中継ノードなどの小規模アクセス・ポイント、またはマクロセル・アクセス・ポイントを指すｅＮＢ／ＨｅＮＢ５０４からネットワーク・アクセスを受信するモバイル・デバイス５０２を含むことができる。ネットワーク・アクセスは、Ｅ−ＵＴＲＡ、ＵＢＭ、ＷｉＭＡＸなど、実質的に任意の規格とすることができる。ＨｅＮＢ５０４は、説明したように、モバイル・デバイス５０２などに代わって、Ｘ２インターフェースを使用してコンセントレータ構成要素１０２と通信し、したがって、本明細書で説明するように、コンセントレータ構成要素１０２が、Ｘ２インターフェースを使用してｅＮＢ／ＨｅＮＢ６０２との通信をトラッキングすることが可能になるように、アクセス・ポイントおよび／またはモバイル・デバイス識別子を与えることができる。ｅＮＢ／ＨｅＮＢ６０２は、説明したように、Ｓ１−ＭＭＥインターフェースを介してＭＭＥ１０４と通信することができ、ＭＭＥ１０４はコア・ネットワークと通信することができる。
【００６４】
コア・ネットワークは様々な他の構成要素を含む。たとえば、ＭＭＥ１０４は、Ｓ３規格を介してサービング汎用パケット無線サービス（ＧＰＲＳ）サポート・ノード（ＳＧＳＮ）と通信して、ＵＴＲＡネットワーク５０８および／またはＧＳＭエッジ無線アクセスネットワーク（ＧＥＲＡＮ）５１０へのアクセスを受信することができる。ＭＭＥ１０４は、たとえば、Ｓ６ａ規格を介してホーム加入者サーバ（ＨＳＳ）５１２に接続して、加入者情報を得ることができる。
【００６５】
別の例では、ｅＮＢ／ＨｅＮＢ５０４は、Ｓ１−Ｕインターフェースを介してサービングゲートウェイ（ＳＧＷ）５１４と通信して、インターネット５１８および／またはＩＰマルチサブシステム（ＩＭＳ）５２０および／または他のＩＰシステムへのアクセスを受信することができる。別の例では、ｅＮＢ／ＨｅＮＢ５０４は、説明したように、ｅＮＢ／ＨｅＮＢ６０２と通信するコンセントレータ構成要素１０２を介してそのように接続することができる。ｅＮＢ／ＨｅＮＢ６０２は関係するＭＭＥ１０４に接続することができ、ＭＭＥ１０４は、Ｓ１１インターフェースを介して、Ｓ４インターフェースを使用するＳＧＳＮ５０６を通って、および／またはＳ１２インターフェースによるＵＴＲＡネットワーク５０８を介してＳＧＷ５１４との接続を確立することができる。いずれの場合も、ＳＧＷは、Ｓ５／Ｓ８インターフェースを介してパケットデータネットワーク（ＰＤＮ）ゲートウェイ（ＰＧＷ）５１６と通信することによってネットワーク・アクセスを可能にし、ＰＧＷ５１６は、ＳＧｉインターフェースを使用して、またはＧｘインターフェースによるポリシーおよび課金ルール機能（ＰＣＲＦ）５２２を介してインターネット５１８またはＩＭＳ５２０と直接通信することができる。後者の例では、ＰＣＲＦ５２２は、Ｒｘインターフェースを介してＩＭＳ５２０と通信することができる。
【００６６】
図７〜図１３を参照すると、アクセス・ポイントと上流アクセス・ポイントまたはＭＭＥとの間の通信を多重化することを可能にすることに関係する方法が示されている。説明を簡潔にする目的で、方法を一連の行為として図示し説明するが、いくつかの行為は、１つまたは複数の態様によれば、本明細書で図示し説明する順序とは異なる順序で、および／または他の行為と同時に行われるので、方法は行為の順序によって限定されないことを理解し、諒解されたい。たとえば、方法は、状態図など、一連の相互に関連する状態または事象として代替的に表現できることを当業者ならば理解し、諒解するであろう。さらに、１つまたは複数の態様による方法を実装するために、図示のすべての行為が必要とされるわけではない。
【００６７】
図７を参照すると、アクセス・ポイントと上流ネットワーク構成要素との間でパケットをルーティングすることを可能にする例示的な方法７００が示されている。７０２において、上流ネットワーク構成要素からダウンリンク・パケットを受信する。一例では、上流ネットワーク構成要素は、アクセス・ポイント、ＭＭＥなどである。７０４において、ダウンリンク・パケットに関係するアクセス・ポイントを、識別子に少なくとも部分的に基づいて判断する。説明したように、対応するアクセス・ポイントに対して受信されるパケットを送信する際に利用するために、識別子が生成され、上流ネットワーク構成要素に与えるように、識別子は局所的に一意とすることができる。一例では、パケットをアクセス・ポイントに適切に関連付けることができるように、局所的に一意の識別子を、受信した識別子とのマッピングに記憶する。一例では、識別子は、アクセス・ポイントからの複数の接続のうちの１つに関係し、接続のうちの１つを識別するように生成される。生成された識別子を利用することができるが、説明したように、別の例では受信した識別子を利用することができることを諒解されたい。７０６において、ダウンリンク・パケットをアクセス・ポイントに送信する。
【００６８】
図８を参照すると、対応するモバイル・デバイスによって受信するために、ダウンリンク・パケットをアクセス・ポイントに送信することを可能にする例示的な方法８００が示されている。８０２において、上流ネットワーク構成要素からダウンリンク・パケットを受信する。ダウンリンク・パケットは、説明したように、アクセス・ポイントおよびモバイル・デバイスに関係するパケットを識別するために、前に生成された局所的に一意の識別子を備える。８０４において、ダウンリンク・パケットに関係するアクセス・ポイントを、識別子に少なくとも部分的に基づいて判断する。これは、説明したように、アクセス・ポイントから受信した識別子への局所的に一意の識別子のマッピングに基づいてアクセス・ポイントに関連付けられた局所的に一意の識別子とすることができ、局所的に一意の識別子は、受信した識別子などを備える。同様に、８０６において、ダウンリンク・パケットに関係するモバイル・デバイスを、識別子に少なくとも部分的に基づいて判断する。したがって、たとえば、マッピングが、局所的に一意の識別子を、対応するアクセス・ポイントおよびモバイル・デバイス識別子に照合するか、または、説明したように、そのようなものが局所的に一意の識別子自体から判断される。８０８において、ダウンリンク・パケット中の識別子を、モバイル・デバイスの判断された識別子と置き換え、８１０において、パケットをアクセス・ポイントに送信する。これは、たとえば、アクセス・ポイントがパケットを対応するモバイル・デバイスに与えることを可能にし、アクセス・ポイントから上流ネットワーク構成要素へのモバイル・デバイス関係パケットのシームレス多重化を行う。
【００６９】
図９を参照すると、上流ネットワーク構成要素と１つまたは複数のアクセス・ポイントとの間でパケットをルーティングすることを可能にする例示的な方法９００が示されている。９０２において、アクセス・ポイントからアップリンク・パケットを受信する。９０４において、アクセス・ポイントに関連付けられた上流ネットワーク構成要素を判断する。これは、たとえば、前のセットアップ要求に基づいて初期化される、上流ネットワーク構成要素へのアクセス・ポイントのマッピングに基づいて判断される。別の例では、アップリンク・パケットは、上流ネットワーク構成要素を指定する。９０６において、説明したように、アップリンク・パケットを上流ネットワーク構成要素に送信する。
【００７０】
図１０を参照すると、生成された局所的に一意の識別子とともにアップリンク・パケットを送信することを可能にする例示的な方法１０００が示されている。１００２において、アクセス・ポイントからアップリンク・パケットを受信する。説明したように、パケットは局所的に一意の識別子を含む。１００４において、アクセス・ポイントに関連付けられた上流ネットワーク構成要素を判断する。これは、説明したように、前の指示、アクセス・ポイントおよび関係する上流ネットワーク構成要素の識別子を記憶するマッピングまたはルーティング・テーブルなどに基づく。１００６において、アップリンク・パケットに関係するモバイル・デバイスを、パケット中の識別子に少なくとも部分的に基づいて判断する。１００８において、アクセス・ポイントおよびモバイル・デバイスに関係する一意の識別子を生成する。説明したように、一意の識別子は、モバイル・デバイスおよびアクセス・ポイントの識別子を備えるか、あるいはルーティング・テーブルまたは同様の関連付け中で関係する。１０１０において、パケット中のモバイル・デバイス識別子を一意の識別子によって置き換え、１０１２において、アップリンク・パケットを上流ネットワーク構成要素に送信する。前の図に記載したように、後続のパケットを一意の識別子とともに上流ネットワーク構成要素から受信し、関係するアクセス・ポイントおよびモバイル・デバイスを一意の識別子に基づいて発見する。
【００７１】
図１１を参照すると、複数の接続されたアクセス・ポイントのためのページングを実施することを可能にする例示的な方法１１００が示されている。１１０２において、ＭＭＥから、トラッキング・エリア識別子を備えるページを受信する。１１０４において、そのページに関連付けられた１つまたは複数のアクセス・ポイントをトラッキング・エリア識別子に基づいて判断する。説明したように、アクセス・ポイントは、１つまたは複数の関係するトラッキング・エリアを与えることを登録することができる。これにより、トラッキング・エリアへのアクセス・ポイントの関連付けが可能になるので、ページが送信されるとき、トラッキング・エリアのアクセス・ポイントを判断し、ページングすることができる。したがって、１１０６において、ページを１つまたは複数のアクセス・ポイントに送信する。
【００７２】
図１２を参照すると、ダウンリンク・メッセージ中のアクセス・ポイント識別子を示すことを可能にする例示的な方法１２００が示されている。１２０２において、アクセス・ポイントに関係するアップリンク・メッセージ中で一意の識別子を受信する。１２０４において、実質的にすべての関係するダウンリンク・メッセージをアクセス・ポイントに関連付けるために、一意の識別子をメッセージ中に挿入する。したがって、ダウンリンク・メッセージを受信するネットワーク構成要素が適宜にメッセージをアクセス・ポイントにルーティングする。１２０６において、ダウンリンク・メッセージをネットワーク構成要素に送信する。この点について、ネットワーク構成要素は、受信した様々な識別子に従ってメッセージを多重化する。
【００７３】
図１３を参照すると、メッセージを関連付けられた識別子とともにネットワーク構成要素に通信することを可能にする例示的な方法１３００が示されている。１３０２において、一意の識別子をアプリケーション・レイヤ・セットアップ・メッセージ中でネットワーク構成要素に通信する。一意の識別子は、アクセス・ポイントに関係し、後続のメッセージ中でアクセス・ポイントを識別するために与えられる。したがって、１３０４において、一意の識別子を実質的にすべての後続のメッセージ中に挿入する。１３０６において、後続のメッセージをネットワーク構成要素に送信する。したがって、説明したように、コンセントレータ構成要素とすることができるネットワーク構成要素は、一意の識別子に従ってアクセス・ポイントを識別する。
【００７４】
本明細書で説明する１つまたは複数の態様によれば、一意の識別子を生成すること、および／または一意の識別子を、コンセントレータ構成要素を通して送信されたパケットに関連付けることに関して、推論を行うことができることを諒解されたい。本明細書で使用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたは動作を識別するために使用でき、あるいは、たとえば、状態の確率分布を生成することができる。推論は、確率的、すなわち、データおよび事象の考察に基づく当該の状態の確率分布の計算とすることができる。推論は、事象および／またはデータのセットからより高いレベルの事象を構成するために採用される技法を指すこともある。そのような推論から、事象が時間的に緊切して相関するか否かにかかわらず、および事象およびデータが１つまたは複数の事象およびデータの発生源に由来するかどうかにかかわらず、観測された事象および／または記憶された事象データのセットから新しい事象または動作が構成される。
【００７５】
次に図１４を参照すると、本明細書で提示する様々な実施形態によるワイヤレス通信システム１４００が示されている。システム１４００は、複数のアンテナ・グループを含むことができる基地局１４０２を備える。たとえば、１つのアンテナ・グループはアンテナ１４０４および１４０６を含み、別のグループはアンテナ１４０８および１４１０を備え、さらなるグループはアンテナ１４１２および１４１４を含むことができる。アンテナ・グループごとに２つのアンテナが示されているが、グループごとにより多いまたはより少ないアンテナを利用することができる。基地局１４０２は、さらに、送信機チェーンおよび受信機チェーンを含むことができ、送信機チェーンおよび受信機チェーンの各々は、当業者なら諒解するように、信号送信および受信に関連付けられる複数の構成要素（たとえば、プロセッサ、変調器、マルチプレクサ、復調器、デマルチプレクサ、アンテナなど）を備えることができる。
【００７６】
基地局１４０２は、モバイル・デバイス１４１６およびモバイル・デバイス１４２２など１つまたは複数のモバイル・デバイスと通信することができるが、基地局１４０２は、モバイル・デバイス１４１６および１４２２と同様の実質的にいかなる数のモバイル・デバイスとも通信することができることを諒解されたい。モバイル・デバイス１４１６および１４２２は、たとえば、セルラー電話、スマートフォン、ラップトップ、ハンドヘルド通信デバイス、ハンドヘルドコンピューティング・デバイス、衛星ラジオ、全地球測位システム、ＰＤＡ、および／またはワイヤレス通信システム１４００を介して通信するための他の適切なデバイスとすることができる。図示のように、モバイル・デバイス１４１６は、アンテナ１４１２および１４１４と通信しており、アンテナ１４１２および１４１４は、順方向リンク１４１８を介して情報をモバイル・デバイス１４１６に送信し、逆方向リンク１４２０を介してモバイル・デバイス１４１６から情報を受信する。さらに、モバイル・デバイス１４２２は、アンテナ１４０４および１４０６と通信しており、アンテナ１４０４および１４０６は、順方向リンク１４２４を介して情報をモバイル・デバイス１４２２に送信し、逆方向リンク１４２６を介してモバイル・デバイス１４２２から情報を受信する。周波数分割複信（ＦＤＤ）システムでは、たとえば、順方向リンク１４１８は、逆方向リンク１４２０によって使用される周波数帯とは異なる周波数帯を利用し、順方向リンク１４２４は、逆方向リンク１４２６によって使用される周波数帯とは異なる周波数帯を使用することができる。さらに、時分割複信（ＴＤＤ）システムでは、順方向リンク１４１８および逆方向リンク１４２０は共通の周波数帯を利用し、順方向リンク１４２４および逆方向リンク１４２６は共通の周波数帯を利用することができる。
【００７７】
アンテナの各グループおよび／またはそれらが通信するように指定されたエリアを、基地局１４０２のセクタと呼ぶことができる。たとえば、基地局１４０２によってカバーされるエリアのセクタ中のモバイル・デバイスに通信するようにアンテナ・グループを設計することができる。順方向リンク１４１８および１４２４を介した通信では、基地局１４０２の送信アンテナは、モバイル・デバイス１４１６および１４２２についての順方向リンク１４１８および１４２４の信号対雑音比を向上させるためにビーム・フォーミングを利用することができる。さらに、基地局１４０２が、関連するカバレージ中に不規則に散在するモバイル・デバイス１４１６および１４２２に送信するためにビーム・フォーミングを利用する間は、基地局が単一のアンテナを介してその基地局のすべてのモバイル・デバイスに送信する場合と比較して、隣接セル内のモバイル・デバイスは干渉を受けにくい。さらに、モバイル・デバイス１４１６および１４２２は、ピア・ツー・ピアまたはアドホック技術を使用して互いに直接通信することができる（図示せず）。
【００７８】
一例によれば、システム１４００は多入力多出力（ＭＩＭＯ）通信システムとすることができる。さらに、システム１４００は、ＦＤＤ、ＦＤＭ、ＴＤＤ、ＴＤＭ、ＣＤＭなど、通信チャネル（たとえば、順方向リンク、逆方向リンク、．．．）を分割する実質的にどんなタイプの複信技法でも利用することができる。さらに、チャネル上での複数のデバイスとの同時通信を可能にするために通信チャネルを直交させ、一例では、この点についてＯＦＤＭを利用することができる。したがって、チャネルは、ある時間期間にわたる周波数の部分に分割できる。さらに、フレームは、時間期間の集合にわたる周波数の部分として定義され、したがって、たとえば、フレームはいくつかのＯＦＤＭシンボルを備えることができる。基地局１４０２は、様々なタイプのデータに対して作成できるチャネルを介してモバイル・デバイス１４１６および１４２２に通信することができる。たとえば、チャネルは、様々なタイプの一般的通信データ、制御データ（たとえば、他のチャネルの品質情報、チャネルを介して受信されたデータに対する肯定応答インジケータ、干渉情報、基準信号など）などを通信するために作成できる。
【００７９】
次に図１５を参照すると、いくつかのモバイル・デバイスをサポートするように構成されたワイヤレス通信システム１５００が示されている。システム１５００は、たとえば、マクロセル１５０２Ａ〜１５０２Ｇなど複数のセルの通信を可能にし、各セルは、対応するアクセス・ポイント１５０４Ａ〜１５０４Ｇによってサービスされる。前述のように、たとえば、マクロセル１５０２Ａ〜１５０２Ｇに関係するアクセス・ポイント１５０４Ａ〜１５０４Ｇは基地局とすることができる。モバイル・デバイス１５０６Ａ〜１５０６Ｉは、ワイヤレス通信システム１５００全体にわたって様々なロケーションに分散して示されている。説明したように、各モバイル・デバイス１５０６Ａ〜１５０６Ｉは、順方向リンクおよび／または逆方向リンク上で１つまたは複数のアクセス・ポイント１５０４Ａ〜１５０４Ｇと通信することができる。さらに、アクセス・ポイント１５０８Ａ〜１５０８Ｄが示されている。これらは、説明したように、特定のサービスロケーションに関係するサービスを提供する、フェムトセル・アクセス・ポイント、ピコセル・アクセス・ポイント、中継ノード、モバイル基地局などの小規模アクセス・ポイントとすることができる。モバイル・デバイス１５０６Ａ〜１５０６Ｉは、追加または代替として、提供されるサービスを受信するためにこれらの小規模アクセス・ポイント１５０８Ａ〜１５０８Ｄと通信することができる。一例では、ワイヤレス通信システム１５００は、大きい地理的領域にわたってサービスを提供することができる（たとえば、マクロセル１５０２Ａ〜１５０２Ｇは、近隣の数個のブロックをカバーすることができ、小規模アクセス・ポイント１５０８Ａ〜１５０８Ｄは、説明したように、住居、オフィスビルなどのエリア中に存在することができる）。一例では、モバイル・デバイス１５０６Ａ〜１５０６Ｉは、無線でおよび／またはバックホール接続を介してアクセス・ポイント１５０４Ａ〜１５０４Ｇおよび／または１５０８Ａ〜１５０８Ｄとの接続を確立することができる。
【００８０】
一例によれば、モバイル・デバイス１５０６Ａ〜１５０６Ｉは、ワイヤレス・ネットワーク全体にわたって移動し、様々なアクセス・ポイント１５０４Ａ〜１５０４Ｇおよび１５０８Ａ〜１５０８Ｄによって与えられたセルを再選択することができる。セル再選択またはハンドオーバは、ターゲット・アクセス・ポイントへの近接度、ターゲット・アクセス・ポイントによって提供されるサービス、ターゲット・アクセス・ポイントによってサポートされるプロトコルまたは規格、ターゲット・アクセス・ポイントに関連付けられた好都合なビリングなど、様々な理由のために実行できる。一例では、モバイル・デバイス１５０６Ｄは、アクセス・ポイント１５０４Ｄと通信し、小規模アクセス・ポイント１５０８Ｃの指定された近接度または測定信号強度内にあるとき、小規模アクセス・ポイント１５０８Ｃへのセル再選択またはハンドオーバを開始することができる。小規模アクセス・ポイント１５０８Ｃを再選択することを可能にするために、ソース・アクセス・ポイント１５０４Ｄは、モバイル・デバイス１５０６Ｄとの通信を続けることに関係のあるコンテキストまたは他の情報など、モバイル・デバイス１５０６Ｄに関する情報をターゲット小規模アクセス・ポイント１５０８Ｃに送信することができる。したがって、ターゲット小規模アクセス・ポイント１５０８Ｃは、アクセス・ポイント１５０４Ｄからシームレス再選択を可能にするために、コンテキスト情報に基づいて、ワイヤレス・ネットワーク・アクセスをモバイル・デバイス１５０６Ｄに与えることができる。この例では、ＭＭＥまたは上流アクセス・ポイント（図示せず）は、アクセス・ポイント１５０８Ｃおよび１５０４Ｄがそれに接続されるハンドオーバを可能にすることができる。
【００８１】
図１６に、例示的なワイヤレス通信システム１６００を示す。ワイヤレス通信システム１６００には、簡潔のために、１つの基地局１６１０と、１つのモバイル・デバイス１６５０とを示してある。ただし、システム１６００は２つ以上の基地局および／または２つ以上のモバイル・デバイスを含むことができ、追加の基地局および／またはモバイル・デバイスは、以下で説明する例示的な基地局１６１０およびモバイル・デバイス１６５０と実質的に同様または異なるものとすることができることを諒解されたい。さらに、基地局１６１０および／またはモバイル・デバイス１６５０は、それらの間のワイヤレス通信を可能にするために、本明細書で説明するシステム（図１〜図６および図１４〜図１５）および／または方法（図７〜図１３）を使用することができることを諒解されたい。
【００８２】
基地局１６１０で、いくつかのデータ・ストリームのトラフィック・データがデータソース１６１２から送信（ＴＸ）データ・プロセッサ１６１４に供給される。一例によれば、各データ・ストリームは、それぞれのアンテナを介して送信できる。ＴＸデータ・プロセッサ１６１４は、符号化データを与えるために、トラフィック・データ・ストリーム用に選択された特定の符号化方式に基づいて、そのデータ・ストリームをフォーマット化し、符号化し、インタリーブする。
【００８３】
各データ・ストリームの符号化データは、直交周波数分割多重（ＯＦＤＭ）技法を使用してパイロット・データと多重化できる。追加または代替として、パイロット・シンボルは、周波数分割多重化（ＦＤＭ）、時分割多重化（ＴＤＭ）、または符号分割多重化（ＣＤＭ）できる。パイロット・データは、一般に、知られている方法で処理されている所の知られているデータパターンであり、チャネル応答を推定するためにモバイル・デバイス１６５０において使用できる。各データ・ストリームの多重化されたパイロットおよび符号化データは、そのデータ・ストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）して、変調シンボルを与えることができる。各データ・ストリームのデータレート、符号化、および変調は、プロセッサ１６３０によって実行または与えられる命令によって判断できる。
【００８４】
データ・ストリームの変調シンボルはＴＸ  ＭＩＭＯプロセッサ１６２０に供給され、ＴＸ  ＭＩＭＯプロセッサ１６２０は、（たとえば、ＯＦＤＭ用に）変調シンボルをさらに処理することができる。次いで、ＴＸ  ＭＩＭＯプロセッサ１６２０は、ＮT個の変調シンボル・ストリームをＮT個の送信機（ＴＭＴＲ）１６２２ａ〜１６２２ｔに供給する。様々な態様では、ＴＸ  ＭＩＭＯプロセッサ１６２０は、データ・ストリームのシンボルと、シンボルの送信元のアンテナとにビーム・フォーミング重みを適用する。
【００８５】
各送信機１６２２は、それぞれのシンボル・ストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。さらに、送信機１６２２ａ〜１６２２ｔからのＮT個の変調信号は、それぞれＮT個のアンテナ１６２４ａ〜１６２４ｔから送信される。
【００８６】
モバイル・デバイス１６５０では、送信された変調信号はＮR個のアンテナ１６５２ａ〜１６５２ｒによって受信され、各アンテナ１６５２からの受信信号は、それぞれの受信機（ＲＣＶＲ）１６５４ａ〜１６５４ｒに供給される。各受信機１６５４は、それぞれの信号を調整（たとえば、フィルタ処理、増幅、およびダウン・コンバート）し、調整された信号をデジタル化して、サンプルを与え、さらに、それらのサンプルを処理して、対応する「受信」シンボル・ストリームを与える。
【００８７】
ＲＸデータ・プロセッサ１６６０は、特定の受信機処理技法に基づいてＮR個の受信機１６５４からＮR個の受信シンボル・ストリームを受信し、処理して、ＮT個の「検出」シンボル・ストリームを与えることができる。ＲＸデータ・プロセッサ１６６０は、各検出シンボル・ストリームを復調し、デインタリーブし、復号して、データ・ストリームのトラフィック・データを復元することができる。ＲＸデータ・プロセッサ１６６０による処理は、基地局１６１０においてＴＸ  ＭＩＭＯプロセッサ１６２０およびＴＸデータ・プロセッサ１６１４によって実行される処理を補足するものである。
【００８８】
プロセッサ１６７０は、上述のように、どのプリコーディング行列を利用すべきかを周期的に判断することができる。さらに、プロセッサ１６７０は、行列インデックス部分とランク値部分とを備える逆方向リンク・メッセージを作成することができる。
【００８９】
逆方向リンク・メッセージは、通信リンクおよび／または受信データ・ストリームに関する様々なタイプの情報を備えることができる。逆方向リンク・メッセージは、データソース１６３６からいくつかのデータ・ストリームのトラフィック・データをも受信するＴＸデータ・プロセッサ１６３８によって処理され、変調器１６８０によって変調され、送信機１６５４ａ〜１６５４ｒによって調整され、基地局１６１０に戻される。
【００９０】
基地局１６１０において、モバイル・デバイス１６５０からの変調信号は、アンテナ１６２４によって受信され、受信機１６２２によって調整され、復調器１６４０によって復調され、ＲＸデータ・プロセッサ１６４２によって処理されて、モバイル・デバイス１６５０によって送信された逆方向リンク・メッセージが抽出される。さらに、プロセッサ１６３０は、抽出されたメッセージを処理して、ビーム・フォーミング重みを判断するためにどのプリコーディング行列を使用すべきかを判断することができる。
【００９１】
プロセッサ１６３０および１６７０は、それぞれ基地局１６１０およびモバイル・デバイス１６５０における動作を指示（たとえば、制御、調整、管理など）することができる。それぞれのプロセッサ１６３０および１６７０は、プログラム・コードおよびデータを記憶するメモリ１６３２および１６７２に関連付けできる。プロセッサ１６３０および１６７０はまた、それぞれ、アップリンクとダウンリンクとに関して周波数推定値とインパルス応答推定値とを導き出すために計算を実行することができる。
【００９２】
本明細書で説明する態様は、ハードウェア、ソフトウェア、ファームウェア、ミドルウェア、マイクロコード、またはそれらの任意の組合せで実装できることを理解されたい。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装できる。
【００９３】
態様は、ソフトウェア、ファームウェア、ミドルウェアまたはマイクロコード、プログラム・コードまたはコードセグメントで実装した場合、記憶構成要素などの機械可読媒体に記憶できる。コードセグメントは、プロシージャ、関数、サブプログラム、プログラム、ルーチン、サブルーチン、モジュール、ソフトウェア・パッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合できる。情報、引数、パラメータ、データなどは、メモリ共有、メッセージパッシング、トークンパッシング、ネットワーク送信などを含む、適切な手段を使用してパス、フォワーディング、または送信することができる。
【００９４】
ソフトウェア実装の場合、本明細書で説明する技法は、本明細書で説明する機能を実行するモジュール（たとえば、プロシージャ、関数など）を用いて実装できる。ソフトウェアコードは、メモリユニットに記憶し、プロセッサによって実行することができる。メモリユニットは、プロセッサの内部またはプロセッサの外部に実装でき、その場合、当技術分野で知られているように様々な手段によってプロセッサに通信可能に結合できる。
【００９５】
図１７を参照すると、ＭＭＥとのアクセス・ポイント通信を多重化することを可能にするシステム１７００が示されている。たとえば、システム１７００は、少なくとも部分的に基地局、モバイル・デバイスなどの内部に常駐することができる。システム１７００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１７００は、連携して動作することができる電気構成要素の論理グルーピング１７０２を含む。たとえば、論理グルーピング１７０２は、ＭＭＥからダウンリンク・パケットを受信するための電気構成要素１７０４を含むことができる。たとえば、説明したように、ダウンリンク・パケットは、関連付けられた識別子を有し、たとえば、識別子に関係するアクセス・ポイントに代わって、送信されたアップリンク・パケットに応答するものとすることができる。さらに、論理グルーピング１７０２は、ダウンリンク・パケット内に備えられた局所的に一意の識別子に少なくとも部分的に基づいて、ダウンリンク・パケットに関係するアクセス・ポイントを判断するための電気構成要素１７０６を含むことができる。
【００９６】
したがって、説明したように、これは、局所的に一意の識別子内のアクセス・ポイント識別子を識別することに基づくなど、局所的に一意の識別子へのアクセス・ポイント識別子の記憶されたマッピングに基づくことができる。その上、論理グルーピング１７０２は、ダウンリンク・パケットをアクセス・ポイントに送信するための電気構成要素１７０８を含むことができる。さらに、論理グルーピング１７０２は、局所的に一意の識別子に少なくとも部分的に基づいて、ダウンリンク・パケットに関係するモバイル・デバイスを判断するための電気構成要素１７１０を含むことができる。同様に、モバイル・デバイス識別子は、マッピング、局所的に一意の識別子中の指示などから判断できる。さらに、論理グルーピング１７０２は、アップリンク・パケットからモバイル・デバイス識別子とアクセス・ポイント識別子とを抽出し、モバイル・デバイス識別子とアクセス・ポイント識別子とに関係する局所的に一意の識別子を判断するための電気構成要素１７１２を含むことができる。また、システム１７００は、図示しないが、受信したアップリンク・パケットに基づいて局所的に一意の識別子を生成することができ、したがって、システム１７００は、関連付けられた局所的に一意の識別子を前に生成することに基づいて、識別子に関係するアクセス・ポイントおよび／またはモバイル・デバイスを判断することができる。さらに、システム１７００は、電気構成要素１７０４、１７０６、１７０８、１７１０、および１７１２に関連付けられた機能を実行するための命令を保持するメモリ１７１４を含むことができる。メモリ１７１４の外部にあるものとして示されているが、電気構成要素１７０４、１７０６、１７０８、１７１０および１７１２の１つまたは複数は、メモリ１７１４の内部に存在することができることを理解されたい。
【００９７】
図１８を参照すると、上流アクセス・ポイントとのアクセス・ポイント通信を多重化することを可能にするシステム１８００が示されている。たとえば、システム１８００は、少なくとも部分的に基地局、モバイル・デバイスなどの内部に常駐することができる。システム１８００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１８００は、連携して動作することができる電気構成要素の論理グルーピング１８０２を含む。たとえば、論理グルーピング１８０２は、上流アクセス・ポイントから受信したダウンリンク・パケットから、局所的に一意の識別子を抽出するための電気構成要素１８０４を含むことができる。たとえば、説明したように、ダウンリンク・パケットは、関連付けられた識別子を有し、たとえば、識別子に関係するアクセス・ポイントに代わって、送信されたアップリンク・パケットに応答して受信できる。さらに、論理グルーピング１８０２は、局所的に一意の識別子に関係するモバイル・デバイス識別子を判断し、ダウンリンク・パケット中の局所的に一意の識別子をモバイル・デバイス識別子と置き換えるための電気構成要素１８０６を含むことができる。
【００９８】
その上、論理グルーピング１８０２は、局所的に一意の識別子に関係する下流アクセス・ポイント識別子を判断するための電気構成要素１８０８を含むことができる。さらに、論理グルーピング１８０２は、ダウンリンク・パケットを、下流アクセス・ポイント識別子に関係する下流アクセス・ポイントに送信するための電気構成要素１８１０を含むことができる。したがって、説明したように、下流アクセス・ポイントはモバイル・デバイス識別子とともにパケットを受信し、モバイル・デバイス識別子は、関係するアップリンク・パケットを、本明細書で説明するシステム１８０２に送信するために使用される識別子と同じとすることができる。さらに、システム１８００は、電気構成要素１８０４、１８０６、１８０８、および１８１０に関連付けられた機能を実行するための命令を保持するメモリ１８１２を含むことができる。メモリ１８１２の外部にあるものとして示されているが、電気構成要素１８０４、１８０６、１８０８、および１８１０の１つまたは複数は、メモリ１８１２の内部に存在することができることを理解されたい。
【００９９】
図１９を参照すると、ＭＭＥアクセスを受信するためにコンセントレータと通信する複数のアクセス・ポイントのためのページングを実施するシステム１９００が示されている。たとえば、システム１９００は、少なくとも部分的に基地局、モバイル・デバイスなどの内部に常駐することができる。システム１９００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１９００は、連携して動作することができる電気構成要素の論理グルーピング１９０２を含む。たとえば、論理グルーピング１９０２は、ＭＭＥから、トラッキング・エリア識別子を備えるページを受信するための電気構成要素１９０４を含むことができる。さらに、論理グルーピング１９０２は、トラッキング・エリア識別子へのアクセス・ポイントの記憶されたマッピングに少なくとも部分的に基づいて、トラッキング・エリア識別子に関連付けられた１つまたは複数のアクセス・ポイントを判断するための電気構成要素１９０６を含むことができる。
【０１００】
説明したように、アクセス・ポイントは、トラッキング・エリア識別子を指定するシステム１９００に登録することができ、トラッキング・エリア識別子は、マップまたはルーティング・テーブル中でアクセス・ポイントに関連付けて記憶できる。その上、論理グルーピング１９０２は、ページを１つまたは複数のアクセス・ポイントに送信するための電気構成要素１９０８を含むことができる。さらに、システム１９００は、電気構成要素１９０４、１９０６および１９０８に関連付けられた機能を実行するための命令を保持するメモリ１９１０を含むことができる。メモリ１９１０の外部にあるものとして示されているが、電気構成要素１９０４、１９０６、および１９０８の１つまたは複数は、メモリ１９１０の内部に存在することができることを理解されたい。
【０１０１】
図２０を参照すると、アクセス・ポイント通信を多重化することを可能にするために、ダウンリンク・メッセージ中にアクセス・ポイント識別子を挿入するシステム２０００が示されている。たとえば、システム２０００は、少なくとも部分的に基地局、モバイル・デバイスなどの内部に常駐することができる。システム２０００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム２０００は、連携して動作することができる電気構成要素の論理グルーピング２００２を含む。たとえば、論理グルーピング２００２は、アクセス・ポイントに関係するアップリンク・メッセージ中で一意の識別子を受信するための電気構成要素２００４を含むことができる。たとえば、説明したように、識別子を利用して、メッセージのソースを識別し、ならびにアクセス・ポイントを対応するダウンリンク・メッセージに関連付けることができる。さらに、論理グルーピング２００２は、アップリンク・メッセージに関係するアクセス・ポイントを判断することを可能にするためにアプリケーション・レイヤ・ダウンリンク・メッセージ中に一意の識別子を挿入し、アプリケーション・レイヤ・ダウンリンク・メッセージをネットワーク構成要素に送信するための電気構成要素２００６を含むことができる。ネットワーク構成要素は、説明したように、識別子に基づいてメッセージをフォワーディングするために適切なアクセス・ポイントを判断することができる。さらに、システム２０００は、電気構成要素２００４および２００６に関連付けられた機能を実行するための命令を保持するメモリ２００８を含むことができる。メモリ２００８の外部にあるものとして示されているが、電気構成要素２００４および２００６の１つまたは複数は、メモリ２００８の内部に存在することができることを理解されたい。
【０１０２】
図２１を参照すると、コンセントレータを介して上流ネットワーク構成要素からメッセージを受信するシステム２１００が示されている。たとえば、システム２１００は、少なくとも部分的に基地局、ＭＭＥ、モバイル・デバイスなどの内部に常駐することができる。システム２１００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム２１００は、連携して動作することができる電気構成要素の論理グルーピング２１０２を含む。たとえば、論理グルーピング２１０２は、アップリンク・メッセージに関係するアクセス・ポイントを判断することを可能にするために、アプリケーション・レイヤ接続セットアップ・メッセージおよび実質的にすべての対応するアップリンク・メッセージ中に、一意の識別子を挿入するための電気構成要素２１０４を含むことができる。さらに、論理グルーピング２１０２は、アップリンク・メッセージをネットワーク構成要素に送信するための電気構成要素２１０６を含むことができる。
【０１０３】
したがって、ネットワーク構成要素は、説明したように、メッセージを送信するアクセス・ポイントを識別することができる。さらに、アップリンク・メッセージは、適用可能な場合にモバイル・デバイス識別子を備えることができる。その上、論理グルーピング２１０２は、アップリンク・メッセージに応答して１つまたは複数のダウンリンク・メッセージを受信するための電気構成要素２１０８を含むことができる。説明したように、ダウンリンク・メッセージはモバイル・デバイス識別子を備えることができる。さらに、論理グルーピング２１０２は、ダウンリンク・メッセージ中の異種識別子に少なくとも部分的に基づいて、ダウンリンク・メッセージを１つまたは複数のモバイル・デバイスにフォワーディングするための電気構成要素２１１０を含むことができる。さらに、システム２１００は、電気構成要素２１０４、２１０６、２１０８および２１１０に関連付けられた機能を実行するための命令を保持するメモリ２１１２を含むことができる。メモリ２１１２の外部にあるものとして示されているが、電気構成要素２１０４、２１０６、２１０８、および２１１０の１つまたは複数は、メモリ２１１２の内部に存在することができることを理解されたい。
【０１０４】
本明細書で開示した実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールド・プログラマブル・ゲートアレイ（ＦＰＧＡ）、またはその他のプログラマブル論理デバイス、個別ゲートまたはトランジスタロジック、個別ハードウェア構成要素、あるいは本明細書で説明した機能を実行するように設計されたそれらの任意の組合せを用いて実装または実行できる。汎用プロセッサはマイクロプロセッサとすることができるが、代替として、プロセッサは任意の従来のプロセッサ、コントローラ、マイクロコントローラ、または状態機械とすることができる。プロセッサは、コンピューティング・デバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。さらに、少なくとも１つのプロセッサは、上述のステップおよび／またはアクションの１つまたは複数を実行するように動作可能な１つまたは複数のモジュールを備えることができる。
【０１０５】
さらに、本明細書で開示された態様に関して説明した方法またはアルゴリズムのステップおよび／またはアクションは、直接ハードウェアで実施するか、プロセッサによって実行されるソフトウェア・モジュールで実施するか、またはその２つの組合せで実施することができる。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体中に常駐することができる。例示的な記憶媒体は、プロセッサが記憶媒体から情報を読むことができ、記憶媒体に情報を書き込むことができるようにプロセッサに結合できる。代替として、記憶媒体はプロセッサに一体化することができる。さらに、いくつかの態様では、プロセッサおよび記憶媒体はＡＳＩＣ中に常駐することができる。さらに、ＡＳＩＣはユーザ端末中に常駐することができる。代替として、プロセッサおよび記憶媒体は、ユーザ端末中に個別構成要素として常駐することができる。さらに、いくつかの態様では、方法またはアルゴリズムのステップおよび／またはアクションは、コンピュータ・プログラム製品に組み込むことができる、機械可読媒体および／またはコンピュータ可読媒体上のコードおよび／または命令の１つまたは任意の組合せ、あるいはそのセットとして常駐することができる。
【０１０６】
１つまたは複数の態様では、説明した機能はハードウェア、ソフトウェア、ファームウェア、またはその任意の組合せで実装できる。ソフトウェアで実装する場合、機能は、１つまたは複数の命令またはコードとしてコンピュータ可読媒体上に記憶するか、あるいはコンピュータ可読媒体上で送信することができる。コンピュータ可読媒体は、ある場所から別の場所へのコンピュータ・プログラムの転送を可能にする任意の媒体を含む、コンピュータ記憶媒体と通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラム・コードを搬送または記憶するために使用でき、コンピュータによってアクセスできる任意の他の媒体を備えることができる。また、どんな接続でもコンピュータ可読媒体と呼ばれることがある。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１０７】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。さらに、「含む（include）」という用語は、発明を実施するための形態または特許請求の範囲のいずれかで使用される限り、「備える（comprising）」という用語を使用すると請求項における移行語と解釈されるように「備える（comprising）」と同様に包括的なものとする。さらに、説明した態様および／または態様の要素が単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。
【図１】
2014053925.tif 000003
【図２】
2014053925.tif 000004
【図３】
2014053925.tif 000005
【図４】
2014053925.tif 000006
【図５】
2014053925.tif 000007
【図６】
2014053925.tif 000008
【図７】
2014053925.tif 000009
【図８】
2014053925.tif 000010
【図９】
2014053925.tif 000011
【図１０】
2014053925.tif 000012
【図１１】
2014053925.tif 000013
【図１２】
2014053925.tif 000014
【図１３】
2014053925.tif 000015
【図１４】
2014053925.tif 000016
【図１５】
2014053925.tif 000017
【図１６】
2014053925.tif 000018
【図１７】
2014053925.tif 000019
【図１８】
2014053925.tif 000020
【図１９】
2014053925.tif 000021
【図２０】
2014053925.tif 000022
【図２１】
2014053925.tif 000023
【手続補正書】
【提出日】平成25年11月11日(2013.11.11)
【手続補正１】
【補正対象書類名】特許請求の範囲
【補正対象項目名】全文
【補正方法】変更
【補正の内容】
【特許請求の範囲】
【請求項１】
モビリティ管理エンティティ（ＭＭＥ）からダウンリンク・パケットを受信することと、
前記ダウンリンク・パケット内に含まれる局所的に一意の識別子に少なくとも部分的に基づいて、前記ダウンリンク・パケットに関係するアクセス・ポイントを判断することと、
前記ダウンリンク・パケットを前記アクセス・ポイントに送信することと、
を備える方法。
【手続補正２】
【補正対象書類名】明細書
【補正対象項目名】０１０７
【補正方法】変更
【補正の内容】
【０１０７】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。さらに、「含む（include）」という用語は、発明を実施するための形態または特許請求の範囲のいずれかで使用される限り、「備える（comprising）」という用語を使用すると請求項における移行語と解釈されるように「備える（comprising）」と同様に包括的なものとする。さらに、説明した態様および／または態様の要素が単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。
以下に本件出願当初の特許請求の範囲に記載された発明を付記する。
［１］モビリティ管理エンティティ（ＭＭＥ）からダウンリンク・パケットを受信することと、
前記ダウンリンク・パケット内に含まれる局所的に一意の識別子に少なくとも部分的に基づいて、前記ダウンリンク・パケットに関係するアクセス・ポイントを判断することと、
前記ダウンリンク・パケットを前記アクセス・ポイントに送信することと、
を備える方法。
［２］前記局所的に一意の識別子が、接続確立中に前記アクセス・ポイントから受信した識別子に関係する［１］に記載の方法。
［３］前記局所的に一意の識別子に少なくとも部分的に基づいて前記ダウンリンク・パケットに関係するモバイル・デバイスを判断することと、
前記局所的に一意の識別子を前記モバイル・デバイスの識別子と置き換えることと、
をさらに備える［１］に記載の方法。
［４］前記局所的に一意の識別子を前記モバイル・デバイスの前記識別子および前記アクセス・ポイントの識別子とともにルーティング・テーブルに記憶することをさらに備える［３］に記載の方法。
［５］前記アクセス・ポイントからアップリンク・パケットを受信することと、
ＭＭＥ識別子に少なくとも部分的に基づいて前記アップリンク・パケットと前記ＭＭＥとの間の関連付けを判断することと、
前記アップリンク・パケットを前記ＭＭＥに送信することと、
をさらに備える［１］に記載の方法。
［６］前記アップリンク・パケットが前記アクセス・ポイントから受信されたアドレスに少なくとも部分的に基づいて、前記アップリンク・パケットが前記ＭＭＥに関連付けられる［５］に記載の方法。
［７］ＭＭＥ識別子に対するアクセス・ポイント識別子のルーティング・テーブルを維持することをさらに備え、前記アップリンク・パケットと前記ＭＭＥとの間の前記関連付けが、前記アクセス・ポイントに関係するルーティング・テーブルエントリに少なくとも部分的に基づいて判断される［５］に記載の方法。
［８］前記アクセス・ポイント識別子が小規模アクセス・ポイントに関係する［７］に記載の方法。
［９］前記アクセス・ポイントから受信した、前記ＭＭＥとの関連付けの要求に少なくとも部分的に基づいて前記ルーティング・テーブルにエントリを追加することをさらに備える［７］に記載の方法。
［１０］前記アップリンク・パケットからモバイル・デバイス識別子とアクセス・ポイント識別子とを抽出することと、
前記モバイル・デバイス識別子と前記アクセス・ポイント識別子とに関係する前記局所的に一意の識別子を判断することと、
前記アップリンク・パケット中の前記モバイル・デバイス識別子を前記局所的に一意の識別子と置き換えることと、
をさらに備える［５］に記載の方法。
［１１］前記モバイル・デバイス識別子および前記アクセス・ポイント識別子がアプリケーション・レベル識別子である［１０］に記載の方法。
［１２］前記モバイル・デバイス識別子と前記アクセス・ポイント識別子とに関する前記局所的に一意の識別子を判断することが、局所的に一意の識別子を受信したモバイル・デバイス識別子とサービング・アクセス・ポイント識別子とにマッピングするルーティング・テーブル中で前記局所的に一意の識別子をロケートすることを含む、［１０］に記載の方法。
［１３］前記ＭＭＥとのトランスポート・レイヤ接続を確立することをさらに備える［１］に記載の方法。
［１４］前記アクセス・ポイントまたは前記ＭＭＥに関連付けられる追加のアクセス・ポイントのために前記トランスポート・レイヤ接続上で前記ＭＭＥとのアプリケーション・レイヤ接続を確立することをさらに備える［１３］に記載の方法。
［１５］ソース・アクセス・ポイントからターゲット・アクセス・ポイントに関係するハンドオーバ要求メッセージを受信することと、
前記ソース・アクセス・ポイントおよび前記ターゲット・アクセス・ポイントが、前記ハンドオーバ要求メッセージ中の１つまたは複数の識別子に少なくとも部分的に基づいて前記ＭＭＥに関連付けられることを判断することと、
前記ハンドオーバ要求メッセージを前記ターゲット・アクセス・ポイントに送信することと、
をさらに備える［１］に記載の方法。
［１６］モビリティ管理エンティティ（ＭＭＥ）からダウンリンク・パケットを取得することと、
前記ダウンリンク・パケット内に含まれる局所的に一意の識別子に少なくとも部分的に基づいて、前記ダウンリンク・パケットに関係する少なくとも１つのアクセス・ポイントを識別することと、
前記ダウンリンク・パケットを前記少なくとも１つのアクセス・ポイントに送信するこ
とと、
を行うように構成された少なくとも１つのプロセッサと、
前記少なくとも１つのプロセッサに結合されたメモリと
を備えるワイヤレス通信装置。
［１７］前記少なくとも１つのプロセッサが、接続確立中に前記少なくとも１つのアクセス・ポイントからアクセス・ポイント識別子を受信するようにさらに構成され、前記局所的に一意の識別子が前記アクセス・ポイント識別子に関係する［１６］に記載のワイヤレス通信装置。
［１８］前記少なくとも１つのプロセッサが、前記局所的に一意の識別子に少なくとも部分的に基づいて前記ダウンリンク・パケットに関係するモバイル・デバイスを識別し、前記局所的に一意の識別子を前記モバイル・デバイスの識別子と置き換えるようにさらに構成された、［１６］に記載のワイヤレス通信装置。
［１９］前記少なくとも１つのプロセッサが、
前記少なくとも１つのアクセス・ポイントからアップリンク・パケットを取得することと、
ＭＭＥ識別子に少なくとも部分的に基づいて前記アップリンク・パケットと前記ＭＭＥとの間の関連付けを識別することと、
前記アップリンク・パケットを前記ＭＭＥに送信することと、
を行うようにさらに構成された、［１６］に記載のワイヤレス通信装置。
［２０］前記少なくとも１つのプロセッサが、ＭＭＥ識別子に対するアクセス・ポイント識別子のルーティング・テーブルを維持するようにさらに構成され、前記アップリンク・パケットと前記ＭＭＥとの間の前記関連付けが、前記少なくとも１つのアクセス・ポイントに関係するルーティング・テーブルエントリに少なくとも部分的に基づいて識別される［１９］に記載のワイヤレス通信装置。
［２１］前記少なくとも１つのプロセッサが、前記少なくとも１つのアクセス・ポイントから受信した、前記ＭＭＥとの関連付けの要求に少なくとも部分的に基づいて前記ルーティング・テーブルにエントリを挿入するようにさらに構成された、［２０］に記載のワイヤレス通信装置。
［２２］前記少なくとも１つのプロセッサが、
前記アップリンク・パケットからモバイル・デバイス識別子とアクセス・ポイント識別子とを識別することと、
前記モバイル・デバイス識別子と前記アクセス・ポイント識別子とに関係する前記局所的に一意の識別子を生成することと、
前記アップリンク・パケット中の前記モバイル・デバイス識別子を前記局所的に一意の識別子と置き換えることと、
を行うようにさらに構成された、請求項１９に記載のワイヤレス通信装置。
［２３］モビリティ管理エンティティ（ＭＭＥ）からダウンリンク・パケットを受信するための手段と、
前記ダウンリンク・パケット内に含まれる局所的に一意の識別子に少なくとも部分的に基づいて、前記ダウンリンク・パケットに関係するアクセス・ポイントを判断するための手段と、
前記ダウンリンク・パケットを前記アクセス・ポイントに送信するための手段と、
を備える装置。
［２４］前記局所的に一意の識別子が、接続確立中に前記アクセス・ポイントから受信した識別子に関係する［２３］に記載の装置。
［２５］前記局所的に一意の識別子に少なくとも部分的に基づいて前記ダウンリンク・パケットに関係するモバイル・デバイスを判断するための手段をさらに備え、前記ダウンリンク・パケットを送信するための前記手段が、前記局所的に一意の識別子を前記モバイル・デバイスの識別子と置き換える［２３］に記載の装置。
［２６］前記ダウンリンク・パケットに関係する前記モバイル・デバイスを判断するための前記手段が、前記局所的に一意の識別子を前記モバイル・デバイスの前記識別子および前記アクセス・ポイントの識別子とともにルーティング・テーブルに記憶する［２５］に記載の装置。
［２７］前記ダウンリンク・パケットを送信するための前記手段が、前記アクセス・ポイントからアップリンク・パケットをさらに受信し、前記ダウンリンク・パケットを受信するための前記手段が、前記アップリンク・パケットを前記ＭＭＥにさらに送信し、前記ダウンリンク・パケットに関係する前記アクセス・ポイントを判断するための前記手段が、ＭＭＥ識別子に少なくとも部分的に基づいて前記アップリンク・パケットと前記ＭＭＥとの間の関連付けをさらに判断する［２３］に記載の装置。
［２８］前記アップリンク・パケットが受信されたアドレスに少なくとも部分的に基づいて、前記アップリンク・パケットが前記ＭＭＥに関連付けられる［２７］に記載の装置。
［２９］前記ダウンリンク・パケットに関係する前記アクセス・ポイントを判断するための前記手段が、ＭＭＥ識別子に対するアクセス・ポイント識別子のルーティング・テーブルをさらに維持し、前記アップリンク・パケットと前記ＭＭＥとの間の前記関連付けが、前記アクセス・ポイントに関係するルーティング・テーブルエントリに少なくとも部分的に基づいて判断される［２７］に記載の装置。
［３０］前記ダウンリンク・パケットに関係する前記アクセス・ポイントを判断するための前記手段が、前記アクセス・ポイントから受信した、前記ＭＭＥとの関連付けの要求に少なくとも部分的に基づいて前記ルーティング・テーブルにエントリを追加する［２９］に記載の装置。
［３１］前記アップリンク・パケットからモバイル・デバイス識別子とアクセス・ポイント識別子とを抽出し、前記モバイル・デバイス識別子と前記アクセス・ポイント識別子とに関係する前記局所的に一意の識別子を判断するための手段とをさらに備え、前記アップリンク・パケットを前記ＭＭＥに送信するための前記手段が、前記アップリンク・パケット中の前記モバイル・デバイス識別子を前記局所的に一意の識別子と置き換える［２７］に記載の装置。
［３２］少なくとも１つのコンピュータにモビリティ管理エンティティ（ＭＭＥ）からダウンリンク・パケットを受信させるためのコードと、
前記少なくとも１つのコンピュータに、前記ダウンリンク・パケット内に含まれる局所的に一意の識別子に少なくとも部分的に基づいて、前記ダウンリンク・パケットに関係するアクセス・ポイントを判断させるためのコードと、
前記少なくとも１つのコンピュータに前記ダウンリンク・パケットを前記アクセス・ポイントに送信させるためのコードと、
を備えるコンピュータ可読媒体を備えるコンピュータ・プログラム製品。
［３３］前記コンピュータ可読媒体が、前記少なくとも１つのコンピュータに、接続確立中に前記アクセス・ポイントからアクセス・ポイント識別子を受信させるためのコードをさらに備え、前記局所的に一意の識別子が前記アクセス・ポイントに関係する［３２］に記載のコンピュータ・プログラム製品。
［３４］前記コンピュータ可読媒体が、前記少なくとも１つのコンピュータに、前記局所的に一意の識別子に少なくとも部分的に基づいて前記ダウンリンク・パケットに関係するモバイル・デバイスを判断させ、前記局所的に一意の識別子を前記モバイル・デバイスの識別子と置き換えさせるためのコードをさらに備える［３２］に記載のコンピュータ・プログラム製品。
［３５］前記コンピュータ可読媒体が、
前記少なくとも１つのコンピュータに前記アクセス・ポイントからアップリンク・パケットを受信させるためのコードと、
前記少なくとも１つのコンピュータに、ＭＭＥ識別子に少なくとも部分的に基づいて前記アップリンク・パケットと前記ＭＭＥとの間の関連付けを判断させるためのコードと、
前記少なくとも１つのコンピュータに前記アップリンク・パケットを前記ＭＭＥに送信させるためのコードと、
をさらに備える［３２］に記載のコンピュータ・プログラム製品。
［３６］前記コンピュータ可読媒体が、前記少なくとも１つのコンピュータに、ＭＭＥ識別子に対するアクセス・ポイント識別子のルーティング・テーブルを維持させるためのコードをさらに備え、前記アップリンク・パケットと前記ＭＭＥとの間の前記関連付けが、前記アクセス・ポイントに関係するルーティング・テーブルエントリに少なくとも部分的に基づいて判断される［３５］に記載のコンピュータ・プログラム製品。
［３７］前記コンピュータ可読媒体が、前記少なくとも１つのコンピュータに、前記アクセス・ポイントから受信した、前記ＭＭＥとの関連付けの要求に少なくとも部分的に基づいて前記ルーティング・テーブルにエントリを挿入させるためのコードをさらに備える［３６］に記載のコンピュータ・プログラム製品。
［３８］前記コンピュータ可読媒体が、
前記少なくとも１つのコンピュータに、前記アップリンク・パケットからモバイル・デバイス識別子とアクセス・ポイント識別子とを判断させるためのコードと、
前記少なくとも１つのコンピュータに、前記モバイル・デバイス識別子と前記アクセス・ポイント識別子とに関係する前記局所的に一意の識別子を選択させるためのコードと、
前記少なくとも１つのコンピュータに、前記アップリンク・パケット中の前記モバイル・デバイス識別子を前記局所的に一意の識別子と置き換えさせるためのコードと、
をさらに備える［３５］に記載のコンピュータ・プログラム製品。
［３９］モビリティ管理エンティティ（ＭＭＥ）からダウンリンク・パケットを受信する上流接続構成要素と、
前記ダウンリンク・パケット内に含まれる局所的に一意の識別子に少なくとも部分的に基づいて、前記ダウンリンク・パケットに関係するアクセス・ポイントを判断するアクセス・ポイント・ルーティング構成要素と、
前記ダウンリンク・パケットを前記アクセス・ポイントに送信する下流接続構成要素と、
を備える装置。
［４０］前記局所的に一意の識別子が、接続確立中に前記アクセス・ポイントから受信した識別子に関係する［３９］に記載の装置。
［４１］前記局所的に一意の識別子に少なくとも部分的に基づいて前記ダウンリンク・パケットに関係するモバイル・デバイスを判断するモバイル・デバイス・ルーティング構成要素をさらに備え、前記下流接続構成要素が、前記局所的に一意の識別子を前記モバイル・デバイスの識別子と置き換える［３９］に記載の装置。
［４２］前記モバイル・デバイス・ルーティング構成要素が、前記局所的に一意の識別子を前記モバイル・デバイスの前記識別子および前記アクセス・ポイントの識別子とともにルーティング・テーブルに記憶する［４１］に記載の装置。
［４３］前記下流接続構成要素が前記アクセス・ポイントからアップリンク・パケットを受信し、前記上流接続構成要素が前記アップリンク・パケットを前記ＭＭＥに送信し、前記アクセス・ポイント・ルーティング構成要素が、ＭＭＥ識別子に少なくとも部分的に基づいて前記アップリンク・パケットと前記ＭＭＥとの間の関連付けをさらに判断する［３９］に記載の装置。
［４４］前記アップリンク・パケットが受信されたアドレスに少なくとも部分的に基づいて、前記アップリンク・パケットが前記ＭＭＥに関連付けられる［４３］に記載の装置。
［４５］前記アクセス・ポイント・ルーティング構成要素が、ＭＭＥ識別子に対するアクセス・ポイント識別子のルーティング・テーブルをさらに維持し、前記アップリンク・パケットと前記ＭＭＥとの間の前記関連付けが、前記アクセス・ポイントに関係するルーティング・テーブルエントリに少なくとも部分的に基づいて判断される［４３］に記載の装置。
［４６］前記アクセス・ポイント・ルーティング構成要素が、前記アクセス・ポイントから受信した、前記ＭＭＥとの関連付けの要求に少なくとも部分的に基づいて前記ルーティング・テーブルにエントリを追加する［４５］に記載の装置。
［４７］アクセス・ポイントに関係するアップリンク・メッセージ中の一意の識別子を受信することと、
前記アップリンク・メッセージに関係する前記アクセス・ポイントを判断することを可能にするために、前記一意の識別子をアプリケーション・レイヤ・ダウンリンク・メッセージ中に挿入することと、
前記アプリケーション・レイヤ・ダウンリンク・メッセージをネットワーク構成要素に送信することと、
を備える方法。
［４８］前記一意の識別子がワイヤレス通信ネットワークに対してグローバルに一意である［４７］に記載の方法。
［４９］前記ネットワーク構成要素に送信される前記アクセス・ポイントに関係する実質的にすべての後続のアプリケーション・レイヤ・ダウンリンク・メッセージ中に前記一意の識別子を含めることをさらに備える請求項４８に記載の方法。
［５０］前記ネットワーク構成要素に関連付けられる単一のトランスポート・レイヤ上で前記アプリケーション・レイヤ・ダウンリンク・メッセージを異種アクセス・ポイントに関係する異種アプリケーション・レイヤ・ダウンリンク・メッセージで多重化することをさらに備える［４７］に記載の方法。
［５１］前記ネットワーク構成要素から前記アクセス・ポイントとターゲット・アクセス・ポイントとに関係するハンドオーバ要求メッセージを受信することをさらに備える［４７］に記載の方法。
［５２］前記ターゲット・アクセス・ポイントに関係する一意の識別子を前記ハンドオーバ要求メッセージ中に挿入することと、
前記ハンドオーバ要求メッセージを前記ネットワーク構成要素あるいは１つまたは複数の異種ネットワーク構成要素にフォワーディングすることと、
をさらに備える［５１］に記載の方法。
［５３］アクセス・ポイントに関係するアップリンク・メッセージ中の一意の識別子を検索することと、
前記アップリンク・メッセージに関係する前記アクセス・ポイントを判断することを可能にするために、前記一意の識別子をアプリケーション・レイヤ・ダウンリンク・メッセージ中に挿入することと、
前記アプリケーション・レイヤ・ダウンリンク・メッセージをネットワーク構成要素に送信することと
を行うように構成された少なくとも１つのプロセッサと、
前記少なくとも１つのプロセッサに結合されたメモリと、
を備えるワイヤレス通信装置。
［５４］前記少なくとも１つのプロセッサが、前記ネットワーク構成要素に送信される前記アクセス・ポイントに関係する実質的にすべての後続のアプリケーション・レイヤ・ダウンリンク・メッセージ中に前記一意の識別子を含めるようにさらに構成された、［５３］に記載のワイヤレス通信装置。
［５５］前記少なくとも１つのプロセッサが、前記ネットワーク構成要素に関連付けられる単一のトランスポート・レイヤ上で前記アプリケーション・レイヤ・ダウンリンク・メッセージを異種アクセス・ポイントに関係する異種アプリケーション・レイヤ・ダウンリンク・メッセージで多重化するようにさらに構成された、［５３］に記載のワイヤレス通信装置。
［５６］アクセス・ポイントに関係するアップリンク・メッセージ中の一意の識別子を受信するための手段と、
前記アップリンク・メッセージに関係する前記アクセス・ポイントを判断することを可能にするために、前記一意の識別子をアプリケーション・レイヤ・ダウンリンク・メッセージ中に挿入し、前記アプリケーション・レイヤ・ダウンリンク・メッセージをネットワーク構成要素に送信するための手段と、
を備える装置。
［５７］前記一意の識別子がワイヤレス通信ネットワークに対してグローバルに一意である［５６］に記載の装置。
［５８］前記一意の識別子を挿入するための前記手段が、前記ネットワーク構成要素に送信される前記アクセス・ポイントに関係する実質的にすべての後続のアプリケーション・レイヤ・ダウンリンク・メッセージ中に前記一意の識別子を含める［５６］に記載の装置。
［５９］少なくとも１つのコンピュータに、アクセス・ポイントに関係するアップリンク・メッセージ中の一意の識別子を受信させるためのコードと、
前記アップリンク・メッセージに関係する前記アクセス・ポイントを判断することを可能にするために、前記少なくとも１つのコンピュータに、前記一意の識別子をアプリケーション・レイヤ・ダウンリンク・メッセージ中に挿入させるためのコードと、
前記少なくとも１つのコンピュータに、前記アプリケーション・レイヤ・ダウンリンク・メッセージをネットワーク構成要素に送信させるためのコードと、
を備えるコンピュータ可読媒体を備えるコンピュータ・プログラム製品。
［６０］前記コンピュータ可読媒体が、前記少なくとも１つのコンピュータに、前記ネットワーク構成要素に送信される前記アクセス・ポイントに関係する実質的にすべての後続のアプリケーション・レイヤ・ダウンリンク・メッセージ中に前記一意の識別子を含めさせるためのコードをさらに備える［５９］に記載のコンピュータ・プログラム製品。
［６１］アクセス・ポイントに関係するアップリンク・メッセージ中の一意の識別子を受信するアクセス・ポイント識別子構成要素と、
前記アップリンク・メッセージに関係する前記アクセス・ポイントを判断することを可能にするために、前記一意の識別子をアプリケーション・レイヤ・ダウンリンク・メッセージ中に挿入し、前記アプリケーション・レイヤ・ダウンリンク・メッセージをネットワーク構成要素に送信するダウンリンク送信構成要素と、
を備える装置。
［６２］前記一意の識別子がワイヤレス通信ネットワークに対してグローバルに一意である［６１］に記載の装置。
［６３］前記ダウンリンク送信構成要素が、前記ネットワーク構成要素に送信される前記アクセス・ポイントに関係する実質的にすべての後続のアプリケーション・レイヤ・ダウンリンク・メッセージ中に前記一意の識別子を含める［６１］に記載の装置。
【外国語明細書】
2014053925000001.pdf